(57)【要約】【課題】収容部における被包装物の移動を抑制することにより被包装物の破損を抑制することが可能な包装箱を提供する。【解決手段】一枚のシートを用いて組立可能に構成され、底面１１と、底面１１の周縁（折り線ａ，ｂ，ｃ，ｄ）より底面１１に略垂直な方向に延びるように設けられている４つの側壁１２〜１５とを有する底体１０を備え、底面１１と４つの側壁１２〜１５とに囲まれることより被包装物３０を収容する収容部３が形成され、４つの側壁１２〜１５のうち少なくとも２つの側壁１３および１４は、収容部３に収容された被包装物３０に付勢力を加えるための付勢側壁１３および１４である、包装箱１００。【選択図】図１
2020203711.tif 000002
【特許請求の範囲】
【請求項１】
一枚のシートを用いて組立可能に構成され、底面と、該底面の周縁より該底面に略垂直な方向に延びるように設けられている複数の側壁とを有する底体を備え、
前記底面と前記複数の側壁とに囲まれることより被包装物を収容する収容部が形成され、
前記複数の側壁のうち少なくとも１つの側壁は、前記収容部に収容された前記被包装物に付勢力を加えるための付勢側壁である、包装箱。 
【請求項２】
前記付勢側壁は、先端部が前記収容部ないしは前記底面に向けて折り曲げられている、請求項１に記載の包装箱。 
【請求項３】
前記付勢側壁は、該底面の周縁より該底面に略垂直な方向に延びるように設けられている第１の側壁部と、前記第１の側壁部から略前記収容部の向きに向かって延びるように設けられている第２の側壁部と、前記第２の側壁部から略前記底面の向きに向かって延びるように設けられている第３の側壁部とを含む、請求項２に記載の包装箱。
【請求項４】
前記付勢側壁の前記第３の側壁部は、略前記収容部の向きに向かって突出するように湾曲している、請求項３に記載の包装箱。
【請求項５】
前記付勢側壁は、前記底面の周縁のうち対向する周縁に設けられている、請求項１〜４のいずれか１項に記載の包装箱。
【請求項６】
前記付勢側壁は、前記底面の周縁のうち全ての周縁に設けられている、請求項１〜４のいずれか１項に記載の包装箱。
【請求項７】
前記付勢側壁は、その先端が前記底面に接触している、請求項２〜６のいずれか１項に記載の包装箱。
【請求項８】
前記底面は、４つの周縁を有する四角形状であり、
前記底面の４つの周縁に沿って、４つの前記側壁が設けられ、
前記４つの側壁のうち少なくとも１つは、前記付勢側壁である、請求項１〜７のいずれか１項に記載の包装箱。
【請求項９】
一枚のシートを用いて組立可能に構成され、前記底体と組み合わせて使用する蓋体をさらに備え、
前記蓋体は、上面と、該上面の周縁より該上面に略垂直な方向に延びるように設けられているフラップとを有し、
前記底体と前記蓋体とを組み合わせた際に、前記フラップは、前記付勢側壁の前記収容部側の表面に接するとともに、前記付勢側壁により前記収容部に向かって付勢される、請求項１〜８のいずれか１項に記載の包装箱。
【請求項１０】
前記付勢側壁により前記収容部に向かって付勢された前記蓋体の前記フラップは、前記付勢側壁の表面形状に対応した形状である、請求項９に記載の包装箱。
【請求項１１】
前記付勢側壁により前記収容部に向かって付勢された前記蓋体の前記フラップは、その先端が前記底体の前記底面に接触している、請求項９または１０に記載の包装箱。
【請求項１２】
前記蓋体の前記上面は、４つの周縁を有する四角形状であり、
前記上面の前記４つの周縁の各々には、少なくとも前記底体の前記底面に設けられた前記付勢側壁に対応するように同数の前記フラップが設けられている、請求項９〜１１のいずれか１項に記載の包装箱。
【請求項１３】
前記蓋体と前記底体とは、一体的に構成され、
前記蓋体の前記上面の周縁のうち一辺が、前記底体の前記複数の側壁のうち１つの前記側壁と接続されている、請求項９〜１２のいずれか１項に記載の包装箱。
【請求項１４】
前記蓋体と前記底体とは、別体により構成されている、請求項９〜１２のいずれか１項に記載の包装箱。
【発明の詳細な説明】
【技術分野】
【０００１】
本発明は、包装箱に関し、具体的には、一枚のシートから組立可能な包装箱に関する。
【背景技術】
【０００２】
従来、紙等の一枚のシートから組立可能な包装箱が提案されている（たとえば、特許文献１参照）。
【０００３】
特許文献１に記載された包装箱は、折線を介して互いに接続された４つの側面を備え、これらの４つの側面のうち１つの側面の一方端辺に折線を介して上蓋片が接続され、上蓋片に折線を介して差込片が接続されている。該上蓋片の残りの２つの端辺には、それぞれ、湾曲折線を介して２つの折返し片が接続され、これらの２つの折返し片は、湾曲折線に沿って折り曲げられることにより、側面側に突出するように形成されている。
【０００４】
上蓋片が接続された側面に隣接する２つの側面の一方端辺に、湾曲折線を介して２つの傾斜面部がそれぞれ接続され、２つの傾斜面部に、湾曲折線を介して２つの上フラップがそれぞれ接続されている。これらの２つの傾斜面部は、湾曲折線に沿って折り曲げられることにより、上蓋片に設けられた２つの折返し片にそれぞれ重ねられ、隙間なく閉じられるようになっている。このような構成によって、被包装物が収容された包装箱を移動させた場合に、被包装物が包装箱の外部に飛び出すことを抑制している。
【先行技術文献】
【特許文献】
【０００５】
【特許文献１】実用新案登録第３１７７１１４号
【発明の概要】
【発明が解決しようとする課題】
【０００６】
特許文献１に記載の包装箱では、包装箱を移動させた場合に、被包装物が包装箱の外部に飛び出すことを抑制することができる一方で、被包装物が包装箱の内部で移動するという不都合があり、被包装物が包装箱の内部で激しく動いた場合には被包装物が破損するという問題点がある。
【０００７】
本発明は、上記問題点を解消すべくなされたものであって、包装箱の内部における被包装物の移動を規制することにより被包装物の破損を抑制することが可能な包装箱を提供することを目的とする。 
【課題を解決するための手段】
【０００８】
上記目的を達成するために、本発明は、次のように構成されている。
【０００９】
（１）本発明の包装箱は、一枚のシートを用いて組立可能に構成され、底面と、該底面の周縁より該底面に略垂直な方向に延びるように設けられている複数の側壁とを有する底体を備え、前記底面と前記複数の側壁とに囲まれることより被包装物を収容する収容部が形成され、前記複数の側壁のうち少なくとも１つの側壁は、前記収容部に収容された前記被包装物に付勢力を加えるための付勢側壁である。
【００１０】
上記構成によると、商品などの被包装物を包装箱の収容部に収容した状態で包装箱を移動させた際に、付勢側壁が被包装物を他の側壁に対して付勢して押し付けた状態で保持することができるため、包装箱の収容部において被包装物を移動しにくくすることができ、その結果、被包装物の破損を抑制することができる。
【００１１】
（２）本発明の包装箱において、好ましくは、前記付勢側壁は、先端部が前記収容部または前記底面に向けて折り曲げられている。このように構成すれば、付勢側壁の先端部の折り曲げられた状態から元の状態に戻る力を付勢力として被包装物に対して加えることができる。また、包装箱を構成する側壁を被包装物に対して付勢力を加える付勢側壁として利用することができるため、包装箱の側壁としての機能と収容部に対して付勢力を与える機能とを付勢側壁によって兼務させることができる。
【００１２】
（３）本発明の包装箱において、好ましくは、前記付勢側壁は、該底面の周縁より該底面に略垂直な方向に延びるように設けられている第１の側壁部と、前記第１の側壁部から略前記収容部の向きに向かって延びるように設けられている第２の側壁部と、前記第２の側壁部から略前記底面の向きに向かって延びるように設けられている第３の側壁部とを含む。このように構成すれば、付勢側壁を構成する第２の側壁部および第３の側壁部の折り曲げられた状態から元の状態に戻るそれぞれの力を付勢力として被包装物に対して加えることができる。
【００１３】
（４）本発明の包装箱において、好ましくは、前記付勢側壁の前記第３の側壁部は、略前記収容部の向きに向かって突出するように湾曲している。このように構成すれば、包装箱を構成する側壁の強度を向上させることができるため、複数の包装箱を積み重ねた際に、包装箱がつぶれることや型崩れを抑制することができる。
【００１４】
（５）本発明の包装箱において、好ましくは、前記付勢側壁は、前記底面の周縁のうち対向する周縁に設けられている。このように構成すれば、対向する周縁に設けられた２つの付勢側壁によって、被包装物を対向する周縁の中央に向かって付勢することができるため、被包装物を包装箱の中央に保持することができる。
【００１５】
（６）本発明の包装箱において、好ましくは、前記付勢側壁は、前記底面の周縁のうち全ての周縁に設けられている。このように構成すれば、周縁の全てに設けられた付勢側壁によって、被包装物を収容部の中央に向かって付勢することができるため、より確実に被包装物を収容部の中央に保持することができる。
【００１６】
（７）本発明の包装箱において、好ましくは、前記付勢側壁は、その先端が前記底面に接触している。このように構成すれば、複数の包装箱を積み重ねた際に、積み重ねられた包装箱の加重を付勢側壁の先端で受け止めることができるため、付勢側壁の先端が底面から離間している場合と比較して、包装箱の加重方向に対する変形を抑制することができる。その結果、包装箱の加重方向への強度を向上させることができる。
【００１７】
（８）本発明の包装箱において、好ましくは、前記底面は、４つの周縁を有する四角形状であり、前記底面の４つの周縁に沿って、４つの前記側壁が設けられ、前記４つの側壁のうち少なくとも１つは、前記付勢側壁である。このように構成すれば、包装箱を構成する４つの側壁のうち少なくとも１つの側壁を付勢側壁として利用することができるため、別途被包装物を付勢するための部材を用いることが不要となり、部品点数を削減することができる。
【００１８】
（９）本発明の包装箱において、好ましくは、一枚のシートを用いて組立可能に構成され、前記底体と組み合わせて使用する蓋体をさらに備え、前記蓋体は、上面と、該上面の周縁より該上面に略垂直な方向に延びるように設けられているフラップとを有し、前記底体と前記蓋体とを組み合わせた際に、前記フラップは、前記付勢側壁の前記収容部側の表面に接するとともに、前記付勢側壁により前記収容部に向かって付勢される。このように構成すれば、蓋体のフラップが底体の付勢側壁により収容部に対して付勢されるため、蓋体が閉まった状態から意図せず開くことを抑制することができる。
【００１９】
（１０）本発明の包装箱において、好ましくは、前記付勢側壁により前記収容部に向かって付勢された前記蓋体の前記フラップは、前記付勢側壁の表面形状に対応した形状である。このように構成すれば、蓋体のフラップと底体の付勢側壁との接触面積を大きくすることができるため、より確実に蓋体のフラップが意図せず開くことを抑制することができる。
【００２０】
（１１）本発明の包装箱において、好ましくは、前記付勢側壁により前記収容部に向かって付勢された前記蓋体の前記フラップは、その先端が前記底体の前記底面に接触している。このように構成すれば、複数の包装箱を積み重ねた際に、積み重ねられた包装箱の加重を蓋体のフラップの先端で受け止めることができるため、蓋体のフラップの先端が底体の底面から離間している場合と比較して、包装箱の加重方向に対する変形を抑制することができる。その結果、包装箱の加重方向への強度を向上させることができる。
【００２１】
（１２）本発明の包装箱において、好ましくは、前記蓋体の前記上面は、４つの周縁を有する四角形状であり、前記上面の前記４つの周縁の各々には、少なくとも前記底体の前記底面に設けられた前記付勢側壁に対応するように同数の前記フラップが設けられている。このように構成すれば、蓋体の上面に設けられた４つのフラップのうち少なくとも１つのフラップが底体の付勢側壁により収容部に対して付勢されるため、蓋体のフラップが意図せず開くことを抑制することができる。
【００２２】
（１３）本発明の包装箱において、好ましくは、前記蓋体と前記底体とは、一体的に構成され、前記蓋体の前記上面の周縁のうち一辺が、前記底体の前記複数の側壁のうち１つの前記側壁と接続されている。このように構成すれば、蓋体と底体とを一枚のシートを用いて一体的に組立可能に構成することができる。
【００２３】
（１４）本発明の包装箱において、好ましくは、前記蓋体と前記底体とは、別体により構成されている。このように構成すれば、蓋体と底体とを別々に一枚のシートを用いて組立可能に構成することができる。
【発明の効果】
【００２４】
本発明に係る態様によれば、包装箱の収容部における被包装物の移動を抑制することにより被包装物の破損を抑制することが可能な包装箱を提供することができる。 
【図面の簡単な説明】
【００２５】
【図１】本発明の第１の実施形態に係る包装箱の全体斜視図である。
【図２】第１の実施形態に係る包装箱の蓋体を開けた状態を示す斜視図である。
【図３】第１の実施形態に係る包装箱の展開図である。
【図４】第１の実施形態に係る包装箱の平面図である。
【図５】第１の実施形態に係る包装箱の正面図である。
【図６】第１の実施形態に係る包装箱の背面図である。
【図７】第１の実施形態に係る包装箱の右側面図である。
【図８】第１の実施形態に係る包装箱の左側面図である。
【図９】第１の実施形態に係る包装箱の底面図である。
【図１０】図４の２００−２００線に沿った断面図である。
【図１１】図４の３００−３００線に沿った断面図である。
【図１２】側壁とフラップとの糊付けの様子を示す斜視図である。
【図１３】本発明の第２の実施形態に係る包装箱の全体斜視図である。
【図１４】本発明の第３の実施形態に係る包装箱の全体斜視図である。
【図１５】本発明の第４の実施形態に係る包装箱の全体斜視図である。
【図１６】本発明の第５の実施形態に係る包装箱の全体斜視図である。
【図１７】本発明の第６の実施形態に係る包装箱の全体斜視図である。
【発明を実施するための形態】
【００２６】
以下、この発明の実施形態に係る包装箱を添付図面に基づいて具体的に説明する。なお、この発明に係る包装箱は、特に下記の実施形態に示したものに限定されるものではなく、その要旨を変更しない範囲において適宜変更して実施できるものである。
【００２７】
（第１の実施形態）
第１の実施形態による包装箱１００は、図１および図２に示すように、底体１０と、底体１０に対して開閉可能な蓋体２０とを備えている。この包装箱１００は、底体１０と蓋体２０とが一体的に構成され、一枚のシートを用いて組立可能となっている。このような包装箱１００のシートの材料としては、たとえば、公知のボール紙やプラスチックシートなどが適用可能である。
【００２８】
（底体の構成）
底体１０は、図２および図３に示すように、周縁としての４つの折り線ａ、ｂ、ｃおよびｄにより囲まれた四角形状の１つの底面１１と、底面１１の周縁としての折り線ａを介して接続されるとともに底面１１に略垂直な方向に延びるように設けられている側壁１２と、底面１１の周縁としての折り線ｂを介して接続されるとともに底面１１に略垂直な方向に延びるように設けられている側壁１３と、底面１１の周縁としての折り線ｃを介して接続されるとともに底面１１に略垂直な方向に延びるように設けられている側壁１４と、底面１１の周縁としての折り線ｄを介して接続されるとともに底面１１に略垂直な方向に延びるように設けられている側壁１５と、底面１１と４つの側壁１２〜１５とにより囲まれた領域に被包装物３０を収容する収容部３と、側壁１３から折り線ｈを介して延びるように設けられているフラップ１６と、側壁１４から折り線ｌを介して延びるように設けられているフラップ１７と、側壁１３から折り線ｉを介して延びるように設けられている貼合用フラップ１８と、側壁１４から折り線ｍを介して延びるように設けられている貼合用フラップ１９とを備えている。ここで、２つの側壁１３および１４は、それぞれ、収容部３に収容された被包装物３０に付勢力を加える付勢側壁１３および１４である。これらの付勢側壁１３および１４は、それぞれ、底面１１の対向する折り線ｂおよびｃを介して設けられている。なお、上記「側壁１２、１３、１４および１５が底面１１に略垂直な方向に延びるように設けられている」とは、被包装物３０が収容部３に問題なく収容できるように、収容部３が形成される態様をいう。
【００２９】
側壁１２は、折り線ａを介して底面１１に接続された第１の側壁部１２１、および、折り線ａと対向する折り線ｅを介して第１の側壁部１２１に接続された第２の側壁部１２２から構成されている。第１の側壁部１２１および第２の側壁部１２２は、それぞれ、折り線ａまたはｅの延びる方向に長辺を有するとともに、折り線ａまたはｅの延びる方向に直交する方向に短辺を有する略長方形状である。
【００３０】
第２の側壁部１２２の折り線ｅとは反対側の長辺には、長辺から突出するように台形状の２つの差込片１２２ａが形成されている。一方、底面１１の折り線ａの近傍には、第２の側壁部１２２の２つの差込片１２２ａを差し込み可能な２つの差込孔１１ａがそれぞれ形成されている。
【００３１】
図３、図１０および図１１に示すように、付勢側壁１３は、直線状の折り線ｂを介して底面１１に接続された第１の側壁部１３１と、折り線ｂと対向し折り線ｂ側に突出するように湾曲した折り線ｆを介して第１の側壁部１３１に接続された第２の側壁部１３２と、折り線ｆと対向し折り線ｆとは反対側に突出するように湾曲した折り線ｇを介して第２の側壁部１３２に接続された第３の側壁部１３３との３つの側壁部を含む。
【００３２】
第１の側壁部１３１は、折り線ｂおよびｆの延びる方向に長辺を有するとともに、折り線ｂおよびｆの延びる方向に直交する方向（折り線ｈおよびｉの延びる方向）に短辺を有する略長方形状である。
【００３３】
第２の側壁部１３２は、折り線ｆおよびｇの延びる方向に長辺を有するとともに、第１の側壁部１３１および第３の側壁部１３３の両方向に突出した形状である。
【００３４】
第３の側壁部１３３は、折り線ｇの延びる方向に長辺を有するとともに、折り線ｇの延びる方向に直交する方向に短辺を有する略長方形状である。
【００３５】
付勢側壁１３の先端部としての第２の側壁部１３２および第３の側壁部１３３が、収容部３ないしは底面１１に向けて折り曲げられている。具体的には、付勢側壁１３の第２の側壁部１３２が、第１の側壁部１３１から収容部３に向かって折り曲げられている。付勢側壁１３の第３の側壁部１３３が、第２の側壁部１３２から底面１１に向かって折り曲げられている。
【００３６】
第３の側壁部１３３は、図１０および図１１に示すように、その先端１３３ａが底面１１の表面１１ｂに接触している。
【００３７】
第１の側壁部１３１は、折り線ｈを介してフラップ１６に接続されているとともに、折り線ｉを介して貼合用フラップ１８に接続されている。
【００３８】
図１０および図１１に示すように、第２の側壁部１３２および第３の側壁部１３３の折り曲げられた状態から元の状態に戻る際の復元力に基づく付勢力Ｆが、収容部３に収容された被包装物３０に対して加えるように作用し、その結果、被包装物３０が付勢側壁１３と１４との間で移動しないように保持される。
【００３９】
図３に示すように、付勢側壁１４は、直線状の折り線ｃを介して底面１１に接続された第１の側壁部１４１と、折り線ｃと対向し折り線ｃ側に突出するように湾曲した折り線ｊを介して第１の側壁部１４１に接続された第２の側壁部１４２と、折り線ｊと対向し折り線ｋとは反対側に突出するように湾曲した折り線ｋを介して第２の側壁部１４２に接続された第３の側壁部１４３との３つの側壁部を含む。
【００４０】
第１の側壁部１４１は、折り線ｃおよびｊの延びる方向に長辺を有するとともに、折り線ｃおよびｊの延びる方向に直交する方向（折り線ｌおよびｍの延びる方向）に短辺を有する略長方形状である。
【００４１】
第２の側壁部１４２は、折り線ｊおよびｋの延びる方向に長辺を有するとともに、第１の側壁部１４１および第３の側壁部１４３の両方向に突出した形状である。
【００４２】
第３の側壁部１４３は、折り線ｋの延びる方向に長辺を有するとともに、折り線ｋの延びる方向に直交する方向に短辺を有する略長方形状である。
【００４３】
付勢側壁１４の先端部としての第１の側壁部１４１および第２の側壁部１４２が、収容部３ないしは底面１１に向けて折り曲げられている。具体的には、付勢側壁１４の第２の側壁部１４２が、第１の側壁部１４１から収容部３に向かって折り曲げられている。付勢側壁１４の第３の側壁部１４３が、第２の側壁部１４２から底面１１に向かって折り曲げられている。
【００４４】
第３の側壁部１４３は、図１０および図１１に示すように、その先端１４３ａが底面１１の表面１１ｂに接触している。
【００４５】
また、第１の側壁部１４１は、折り線ｌを介してフラップ１７に接続されているとともに、折り線ｍを介して貼合用フラップ１９に接続されている。
【００４６】
図１０および図１１に示すように、第２の側壁部１４２および第３の側壁部１４３の折り曲げられた状態から元の状態に戻る際の復元力に基づく付勢力Ｆが、収容部３に収容された被包装物３０に対して加えるように作用し、その結果、被包装物３０が付勢側壁１３と１４との間で移動しないように保持される。
【００４７】
側壁１５は、図３および図６に示すように、折り線ｎを介して貼合用フラップ１８に接続されているとともに、折り線ｏを介して貼合用フラップ１９に接続されている。側壁１５は、折り線ｄまたはｒの延びる方向に長辺を有するとともに、折り線ｎまたはｏの延びる方向に短辺を有している。
【００４８】
貼合用フラップ１８は、図３および図１２に示すように、包装箱１００の組立時に、付勢側壁１３の第１の側壁部１３１の短辺（折り線ｉ）と、側壁１５の短辺（折り線ｎ）とが、重なった状態で固定されるように糊付けされるものである。具体的には、貼合用フラップ１８は、２つの折り線ｐと、２つの折り線ｐに挟まれた山型の切り線１８ａを有しており、これらの２つの折り線ｐおよび切り線１８ａにより、広い領域１８１と狭い領域１８２とに分けられている。この広い領域１８１の紙面表側に糊３５を塗り、２つの折り線ｐで紙面手前に山折りすることにより、広い領域１８１と側壁１５とが貼り合わせられる。
【００４９】
貼合用フラップ１９は、図３に示すように、包装箱１００の組立時に、付勢側壁１４の第１の側壁部１４１の短辺（折り線ｍ）と、側壁１５の短辺（折り線ｏ）とが、重なった状態で固定されるように糊付けされるものである。具体的には、貼合用フラップ１９は、２つの折り線ｑと、２つの折り線ｑに挟まれた山型の切り線１９ａを有しており、これらの２つの折り線ｐおよび切り線１９ａにより、広い領域１９１と狭い領域１９２とに分けられている。この広い領域１９１の紙面表側に糊３５を塗り、２つの折り線ｑで紙面手前に山折りすることにより、広い領域１９１と側壁１５とが貼り合わせられる。
【００５０】
（蓋体の構成）
蓋体２０は、図１〜図３に示すように、周縁としての４つの折り線ｒ、ｓ、ｔおよびｕにより囲まれるとともに折り線ｒを介して側壁１５に接続された略四角形状の１つの上面２１と、上面２１の周縁としての上面２１側に突出して湾曲した折り線ｓを介して接続されるとともに上面２１に略垂直な方向に延びるように設けられているフラップ２２と、上面２１の周縁としての上面２１側に突出して湾曲した折り線ｔを介して接続されるとともに上面２１に略垂直な方向に延びるように設けられているフラップ２３と、上面２１の周縁としての直線状の折り線ｕを介して接続されるとともに上面２１に略垂直な方向に延びるように設けられているフラップ２４とを備えている。なお、上記「フラップ２２、２３および２４が上面２１に略垂直な方向に延びるように設けられている」とは、被包装物３０が収容部３に問題なく収容できるように、収容部３が形成される態様をいう。
【００５１】
蓋体２０の上面２１は、図７および図８に示すように、側壁１３または側壁１４の方向から見て、上方に膨出する形状を有している。蓋体２０のフラップ２２および２３は、それぞれ、底体１０の付勢側壁１３および１４により収容部３に向かって付勢されている。また、付勢側壁１３および１４により付勢されたフラップ２２および２３は、付勢側壁１３および１４の表面形状に対応した形状であり、具体的には、フラップ２２および２３の表面と、付勢側壁１３および１４の表面とが、それぞれ全面的に接触するように略同様の表面形状を有していることをいう。
【００５２】
図１０および図１１に示すように、付勢側壁１３および１４により付勢されたフラップ２２および２３は、それぞれの先端２２ａおよび２３ａが底体１０の底面１１の表面１１ｂに接触している。また、フラップ２４は、先端２４ａが底体１０の底面１１の表面１１ｂに接触している。
【００５３】
フラップ２２は、折り線ｓの延びる方向に長辺を有するとともに、折り線ｓに直交する方向に短辺を有する略四角形状である。
【００５４】
フラップ２３は、フラップ２２と同様の形状を有し、折り線ｔの延びる方向に長辺を有するとともに、折り線ｔに直交する方向に短辺を有する略四角形状である。
【００５５】
フラップ２４は、折り線ｕの延びる方向に長辺を有するとともに、折り線ｕに直交する方向に短辺を有する四角形状である。
【００５６】
（包装箱の組立手順）
包装箱１００の組立手順の一例ついて、図３を参照して説明する。まず、底体１０の側壁１３の第３の側壁部１３３を折り線ｇに沿って谷折りし、第２の側壁部１３２を折り線ｆに沿って谷折りし、第１の側壁部１３１を折り線ｂに沿って谷折りする。このとき、貼合用フラップ１８を折り線ｎに沿って谷折りする。また、フラップ１６を折り線ｈに沿って谷折りする。
【００５７】
これと同様にして、底体１０の側壁１４の第３の側壁部１４３を折り線ｋに沿って谷折りし、第２の側壁部１４２を折り線ｊに沿って谷折りし、第１の側壁部１４１を折り線ｃに沿って谷折りする。このとき、貼合用フラップ１９を折り線ｏに沿って谷折りする。また、フラップ１７を折り線ｌに沿って谷折りする。
【００５８】
次に、２つのフラップ１６および１７が、側壁１２の第１の側壁部１２１と第２の側壁部１２２との間に挟まれるように、第２の側壁部１２２を折り線ｅに沿って谷折り、第１の側壁部１２１を折り線ａに沿って谷折りする。そして、第２の側壁部１２２の２つの差込片１２２ａを底面１１の２つの差込孔１１ａにそれぞれ差し込む。
【００５９】
次に、蓋体２０の上面２１のフラップ２２を折り線ｓに沿って谷折りする。また、上面２１のフラップ２３を折り線ｔに沿って谷折りする。また、上面２１のフラップ２４を折り線ｕに沿って谷折りする。
【００６０】
次に、貼合用フラップ１８の広い領域１８１の紙面手前に糊３５を塗布するとともに、貼合用フラップ１９の広い領域１９１の紙面手前に糊３５を塗布する。そして、貼合用フラップ１８の折り線ｐおよび貼合用フラップ１９の折り線ｑをそれぞれ紙面手前に山折りして、貼合用フラップ１８の広い領域１８１と側壁１５とを貼り合わせるとともに、貼合用フラップ１９の広い領域１９１と側壁１５とを貼り合わせる。このとき、側壁１５を折り線ｄに沿って谷折りする。
【００６１】
最後に、蓋体２０の上面２１を折り線ｒに沿って谷折りすることにより、蓋体２０のフラップ２２、２３および２４が、それぞれ、底体１０の側壁１３、１４および１２の収容部３側に差し込まれることにより、包装箱１００が組み立てられる。 
【００６２】
上記説明した第１の実施形態によれば、以下の効果を得ることができる。
【００６３】
（１）上記第１の実施形態による包装箱１００は、一枚のシートを用いて組立可能に構成され、底面１１と、底面１１の周縁としての折り線ａ、ｂ、ｃおよびｄより底面１１に略垂直な方向に延びるように設けられている４つの側壁１２、１３、１４および１５と、底面１１と４つの側壁１２、１３、１４および１５とにより被包装物３０を収容する収容部３と、を有する底体１０を備え、４つの側壁１２、１３、１４および１５のうち２つの側壁１３および１４を、収容部３に収容された被包装物３０に付勢力を加えるための付勢側壁１３および１４とした。
【００６４】
上記構成によると、商品などの被包装物３０を包装箱１００の収容部３に収容した状態で包装箱１００を移動させた際に、付勢側壁１３と付勢側壁１４とが互いに被包装物３０を付勢して押し付けた状態で保持することができるため、包装箱１００の収容部３において被包装物３０を移動しにくくすることができ、その結果、被包装物３０の破損を抑制することができる。
【００６５】
（２）上記第１の実施形態による包装箱１００では、付勢側壁１３の先端部としての第２の側壁部１３２および第３の側壁部１３３、および、付勢側壁１４の先端部としての第２の側壁部１４２および第３の側壁部１４３を、収容部３または底面１１に向けて折り曲げるようにした。これにより、付勢側壁１３の先端部１３２および１３３、および、付勢側壁１４の先端部１４２および１４３の折り曲げられた状態から元の状態に戻る力を付勢力として被包装物３０に対して加えることができる。また、包装箱１００を構成する側壁１３および１４を被包装物３０に対して付勢力を加える付勢側壁１３および１４として利用することができるため、包装箱１００の側壁としての機能と収容部３０に対して付勢力を与える機能とを付勢側壁１３および１４の各々によって兼務させることができる。
【００６６】
（３）上記第１の実施形態による包装箱１００では、付勢側壁１３が、底面１１の周縁としての折り線ｂより底面１１に略垂直な方向に延びるように設けられている第１の側壁部１３１と、第１の側壁部１３１から収容部３に向かって延びるように設けられている第２の側壁部１３２と、第２の側壁部１３２から底面１１に向かって延びるように設けられている第３の側壁部１３３とを含むようにした。また、付勢側壁１４が、底面１１の周縁としての折り線ｃより底面１１に略垂直な方向に延びるように設けられている第１の側壁部１４１と、第１の側壁部１４１から収容部３に向かって延びるように設けられている第２の側壁部１４２と、第２の側壁部１４２から底面１１に向かって延びるように設けられている第３の側壁部１４３とを含むようにした。これにより、付勢側壁１３を構成する第２の側壁部１３２および第３の側壁部１３３、および、付勢側壁１４を構成する第２の側壁部１４２および第３の側壁部１４３の折り曲げられた状態から元の状態に戻るそれぞれの力を付勢力として被包装物３０に対して加えることができる。
【００６７】
（４）上記第１の実施形態による包装箱１００では、付勢側壁１３の第３の側壁部１３３および付勢側壁１４の第３の側壁部１４３を、収容部３に向かって突出するように湾曲させた。これにより、包装箱１００を構成する側壁の強度を向上させることができるため、複数の包装箱１００を積み重ねた際に、包装箱１００がつぶれることや型崩れを抑制することができる。
【００６８】
（５）上記第１の実施形態による包装箱１００では、付勢側壁１３および１４を、底面１１の周縁としての折り線ａ、ｂ、ｃおよびｄのうち対向する周縁としての折り線ｂおよびｃに設けた。これにより、対向する周縁に設けられた２つの付勢側壁１３および１４によって、被包装物３０を対向する周縁の中央に向かって付勢することができるため、被包装物３０を包装箱１００の中央に保持することができる。
【００６９】
（６）上記第１の実施形態による包装箱１００では、付勢側壁１３の先端１３３ａおよび付勢側壁１４の先端１４３ａをそれぞれ底面１１に接触させた。これにより、複数の包装箱１００を積み重ねた際に、積み重ねられた包装箱１００の加重を付勢側壁１３の先端１３３ａおよび付勢側壁１４の先端１４３ａで受け止めることができるため、付勢側壁１３の先端１３３ａおよび付勢側壁１４の先端１４３ａが底面１１から離間している場合と比較して、包装箱１００の加重方向に対する変形を抑制することができる。その結果、包装箱１００の加重方向への強度を向上させることができる。
【００７０】
（７）上記第１の実施形態による包装箱１００では、底面１１の４つの周縁としての折り線ａ、ｂ、ｃおよびｄに設けられた４つの側壁１２、１３、１４および１５のうち２つの側壁１３および１４を付勢側壁とした。これにより、包装箱１００を構成する２つの側壁１３および１４を付勢側壁として利用することができるため、別途被包装物３０を付勢するための部材を用いることが不要となり、部品点数を削減することができる。
【００７１】
（８）上記第１の実施形態による包装箱１００では、一枚のシートを用いて組立可能に構成し、上面２１と、上面２１の周縁としての折り線ｓ、ｔおよびｕより上面２１に略垂直な方向に延びるように設けられている３つのフラップ２２、２３および２４とを有する蓋体２０をさらに備え、底体１０と蓋体２０とを組み合わせた際に、フラップ２２および２３が、それぞれ、付勢側壁１３の第３の側壁部１３３および付勢側壁１４の第３の側壁部１４３の表面に接するとともに、付勢側壁１３および１４により収容部３に向かって付勢される。これにより、蓋体２０のフラップ２２および２３が底体１０の付勢側壁１３および１４により収容部３に対して付勢されるため、蓋体２０が閉まった状態から意図せず開くことを抑制することができる。
【００７２】
（９）上記第１の実施形態による包装箱１００では、底体１０の付勢側壁１３および１４により収容部３に向かって付勢された蓋体２０のフラップ２２および２３を、付勢側壁１３および１４の表面形状を反映した形状とした。これにより、蓋体２０のフラップ２２および２３と底体１０の付勢側壁１３および１４との接触面積を大きくすることができるため、より確実に蓋体２０のフラップ２２および２３が意図せず開くことを抑制することができる。
【００７３】
（１０）上記第１の実施形態による包装箱１００では、付勢側壁１３および１４により収容部３に向かって付勢された蓋体２０のフラップ２２の先端２２ａおよびフラップ２３の先端２３ａを底体１０の底面１１に接触させた。これにより、複数の包装箱１００を積み重ねた際に、積み重ねられた包装箱１００の加重を蓋体２０のフラップ２２の先端２２ａおよびフラップ２３の先端２３ａで受け止めることができるため、蓋体２０のフラップ２２の先端２２ａおよびフラップ２３の先端２３ａが底体１０の底面１１から離間している場合と比較して、包装箱１００の加重方向に対する変形を抑制することができる。その結果、包装箱１００の加重方向への強度を向上させることができる。
【００７４】
（１１）上記第１の実施形態による包装箱１００では、蓋体２０の上面２１の２つの周縁としての折り線ｓおよびｔの各々に底体１０の底面１１に設けられた付勢側壁１３および１４に対応するように２つのフラップ２２および２３を設けた。これにより、蓋体２０の上面２１に設けられた２つのフラップ２２および２３が底体１０の付勢側壁１３および１４により収容部３に対して付勢されるため、蓋体２０のフラップ２２および２３が意図せず開くことを抑制することができる。
【００７５】
（１２）上記第１の実施形態による包装箱１００では、蓋体２０と底体１０とを一体的に構成し、蓋体２０の上面２１の周縁としての折り線ｒを底体１０の側壁１５と接続した。これにより、蓋体２０と底体１０とを一枚のシートを用いて一体的に組立可能に構成することができる。 
【００７６】
（第２の実施形態）
次に、図１３を参照して、第２の実施形態について説明する。この第２の実施形態による包装箱１０１では、対向する２つの付勢側壁が設けられた上記第１の実施形態とは異なり、底体４０の底面４１に１つの付勢側壁４２が設けられている例について説明する。
【００７７】
この第２の実施形態による包装箱１０１は、底体４０と蓋体５０とが一体的に構成され、一枚のシートを用いて組立可能となっている。
【００７８】
底体４０は、四角形状の１つの底面４１と、底面４１の周縁としての折り線を介して接続されるとともに底面４１の周縁より底面４１に略垂直な方向に延びるように設けられている４つの側壁４２、４３、４４および４５と、底面４１と４つの側壁４２、４３、４４および４５とにより囲まれた領域に被包装物３０を収容する収容部３とを備えている。
【００７９】
底体４０の底面４１に設けられた４つの側壁４２、４３、４４および４５のうち１つの側壁４２は、収容部３に収容された被包装物３０に付勢力を加える付勢側壁である。この付勢側壁４２は、折り線を介して底面４１より延びるように設けられている第１の側壁部４２１と、折り線を介して第１の側壁部４２１より延びるように設けられている第２の側壁部４２２と、折り線を介して第２の側壁部４２２より延びるように設けられている第３の側壁部４２３との３つの側壁部を含む。
【００８０】
付勢側壁４２は、先端部としての第２の側壁部４２２および第３の側壁部４２３が収容部３ないしは底面４１に向けて折り曲げられている。具体的には、付勢側壁４２の第２の側壁部４２２が、第１の側壁部４２１から収容部３に向かって折り曲げられている。付勢側壁４２の第３の側壁部４２３が、第２の側壁部４２２から底面４１に向かって折り曲げられている。また、第３の側壁部４２３の先端が底体４０の底面４１の表面４１ｂに接触している。
【００８１】
付勢側壁４２の第２の側壁部４２２および第３の側壁部４２３の折り曲げられた状態から元の状態に戻る際の復元力に基づく付勢力が、収容部３に収容された被包装物３０に対して加えるように作用し、その結果、被包装物３０が付勢側壁４２と４５との間で移動しないように保持される。
【００８２】
蓋体２０は、４つの周縁を有する略四角形状の１つの上面５１と、上面５１の周縁としての折り線を介して接続されるとともに上面５１に略垂直な方向に延びるように設けられている３つのフラップ５２、５３および５４とを備えている。
【００８３】
蓋体２０のフラップ５４は、底体４０の付勢側壁４２により収容部３に向かって付勢されている。また、付勢側壁４２により付勢されたフラップ５４は、付勢側壁４２の第３の側壁部４２３の表面形状に対応した形状であり、具体的には、フラップ５４の表面と、付勢側壁４２の表面とが、それぞれ全面的に接触するように略同様の表面形状を有していることをいう。
【００８４】
付勢側壁４２により付勢されたフラップ５４は、その先端５４ａが底体４０の底面４１の表面４１ｂに接触している。また、蓋体５０のフラップ５２および５３は、その先端５２ａおよび５３ａが底体４０の底面４１の表面４１ｂに接触している。
【００８５】
なお、上記した第２の実施形態のその他の構成は、第１の実施形態と同様である。 
【００８６】
上記説明した第２の実施形態によれば、以下の効果を得ることができる。
【００８７】
（１３）上記第２の実施形態による包装箱１０１は、一枚のシートを用いて組立可能に構成され、底面４１と、底面４１の周縁より底面４１に略垂直な方向に延びるように設けられている４つの側壁４２、４３、４４および４５と、底面４１と４つの側壁４２、４３、４４および４５とにより被包装物３０を収容する収容部３と、を有する底体４０を備え、４つの側壁４２、４３、４４および４５のうち１つの側壁４２を、収容部３に収容された被包装物３０に付勢力を加える付勢側壁４２とした。
【００８８】
上記構成によると、商品などの被包装物３０を包装箱１０１の収容部３に収容した状態で包装箱１０１を移動させた際に、付勢側壁４２に対して被包装物３０を付勢して押し付けた状態で保持することができるため、包装箱１０１の収容部３において被包装物３０を移動しにくくすることができ、その結果、被包装物３０の破損を抑制することができる。
【００８９】
（１４）上記第２の実施形態による包装箱１０１では、付勢側壁４２の先端部としての第２の側壁部４２２および第３の側壁部４２３を、収容部３または底面１１に向けて折り曲げるようにした。これにより、付勢側壁４２の先端部４２２および４２３の折り曲げられた状態から元の状態に戻る力を付勢力として被包装物３０に対して加えることができる。また、包装箱１０１を構成する側壁４２を被包装物３０に対して付勢力を加える付勢側壁４２として利用することができるため、包装箱１０１の側壁としての機能と収容部３０に対して付勢力を与える機能とを付勢側壁４２によって兼務させることができる。
【００９０】
（１５）上記第２の実施形態による包装箱１０１では、付勢側壁４２が、底面４１の周縁より底面４１に略垂直な方向に延びるように設けられている第１の側壁部４２１と、第１の側壁部４２１から収容部３に向かって延びるように設けられている第２の側壁部４２２と、第２の側壁部４２２から底面１１に向かって延びるように設けられている第３の側壁部４２３とを含むようにした。これにより、付勢側壁４２を構成する第２の側壁部４２２および第３の側壁部４２３の折り曲げられた状態から元の状態に戻る力を付勢力として被包装物３０に対して加えることができる。
【００９１】
（１６）上記第２の実施形態による包装箱１０１では、付勢側壁４２の第３の側壁部４２３を、収容部３に向かって突出するように湾曲させた。これにより、包装箱１０１を構成する側壁の強度を向上させることができるため、複数の包装箱１０１を積み重ねた際に、包装箱１０１がつぶれることや型崩れを抑制することができる。
【００９２】
（１７）上記第２の実施形態による包装箱１０１では、付勢側壁４２を、底面４１の１つの周縁に設けた。これにより、１つの付勢側壁４２によって、被包装物３０を収容部３の中央に向かって付勢することができるため、被包装物３０を包装箱１０１の中央に保持することができる。
【００９３】
（１８）上記第２の実施形態による包装箱１０１では、付勢側壁４２の先端を底面４１の表面４１ｂに接触させた。これにより、複数の包装箱１０１を積み重ねた際に、積み重ねられた包装箱１０１の加重を付勢側壁４２の先端で受け止めることができるため、付勢側壁４２の先端が底面１１から離間している場合と比較して、包装箱１０１の加重方向に対する変形を抑制することができる。その結果、包装箱１０１の加重方向への強度を向上させることができる。
【００９４】
（１９）上記第２の実施形態による包装箱１０１では、底面４１は、４つの周縁に設けられた４つの側壁４２、４３、４４および４５のうち１つの側壁４２を付勢側壁とした。これにより、包装箱１０１を構成する１つの側壁４２を付勢側壁として利用することができるため、別途被包装物３０を付勢するための部材を用いることが不要となり、部品点数を削減することができる。
【００９５】
（２０）上記第２の実施形態による包装箱１０１では、一枚のシートを用いて組立可能に構成し、上面５１と、上面５１の周縁より上面５１に略垂直な方向に延びるように設けられている３つのフラップ５２、５３および５４とを有する蓋体５０をさらに備え、底体４０と蓋体５０とを組み合わせた際に、フラップ５４が、付勢側壁４２の第３の側壁部４２３の収容部３側の表面に接するとともに、付勢側壁４２により収容部３に向かって付勢される。これにより、蓋体５０のフラップ５４が底体４０の付勢側壁４２により収容部３に対して付勢されるため、蓋体５０が閉まった状態から意図せず開くことを抑制することができる。
【００９６】
（２１）上記第２の実施形態による包装箱１０１では、底体４０の付勢側壁４２により収容部３に向かって付勢された蓋体５０のフラップ５４を、付勢側壁４２の表面形状を反映した形状とした。これにより、蓋体５０のフラップ５４と底体４０の付勢側壁４２との接触面積を大きくすることができるため、より確実に蓋体５０のフラップ５４が意図せず開くことを抑制することができる。
【００９７】
（２２）上記第２の実施形態による包装箱１０１では、付勢側壁４２により収容部３に向かって付勢された蓋体５０のフラップ５４の先端５４ａを底体４０の底面４１に接触させた。これにより、複数の包装箱１０１を積み重ねた際に、積み重ねられた包装箱１０１の加重を蓋体５０のフラップ５４の先端５４ａで受け止めることができるため、蓋体５０のフラップ５４の先端５４ａが底体４０の底面１１から離間している場合と比較して、包装箱１０１の加重方向に対する変形を抑制することができる。その結果、包装箱１０１の加重方向への強度を向上させることができる。
【００９８】
（２３）上記第２の実施形態による包装箱１０１では、蓋体５０の上面５１の１つの周縁に底体４０の底面１１に設けられた付勢側壁４２に対応するように１つのフラップ５４を設けた。これにより、蓋体５０の上面５１に設けられた１つのフラップ５４が底体４０の付勢側壁４２により収容部３に対して付勢されるため、蓋体５０のフラップ５４が意図せず開くことを抑制することができる。
【００９９】
（２４）上記第２の実施形態による包装箱１０１では、蓋体５０と底体４０とを一体的に構成し、蓋体５０の上面５１の周縁を底体４０の側壁４５と接続した。これにより、蓋体５０と底体４０とを一枚のシートを用いて一体的に組立可能に構成することができる。 
【０１００】
（第３の実施形態）
次に、図１４を参照して、第３の実施形態について説明する。この第３の実施形態による包装箱１０２では、対向する２つの付勢側壁が設けられた上記第１の実施形態および１つの付勢側壁が設けられた上記第２の実施形態とは異なり、底体６０の底面６１に４つの付勢側壁６２、６３、６４および６５が設けられている例について説明する。
【０１０１】
この第３の実施形態による包装箱１０２は、底体６０と蓋体７０とが一体的に構成され、一枚のシートを用いて組立可能となっている。
【０１０２】
底体６０は、四角形状の１つの底面６１と、底面６１の周縁としての折り線を介して接続されるとともに底面６１の周縁より底面６１に略垂直な方向に延びるように設けられている４つの側壁６２、６３、６４および６５と、底面６１と４つの側壁６２、６３、６４および６５とにより囲まれた領域に被包装物３０を収容する収容部３とを備えている。
【０１０３】
底体６０の底面６１に設けられた４つの側壁６２、６３、６４および６５の全ては、収容部３に収容された被包装物３０に付勢力を加える付勢側壁である。この付勢側壁６２は、折り線を介して底面６１より延びるように設けられている第１の側壁部６２１と、折り線を介して第１の側壁部６２１より延びるように設けられている第２の側壁部６２２と、折り線を介して第２の側壁部６２２より延びるように設けられている第３の側壁部６２３との３つの側壁部を含む。
【０１０４】
付勢側壁６２は、先端部としての第２の側壁部６２２および第３の側壁部６２３が収容部３ないしは底面１１に向けて折り曲げられている。具体的には、付勢側壁６２の第２の側壁部６２２が、第１の側壁部６２１から収容部３に向かって折り曲げられている。付勢側壁６２の第３の側壁部６２３が、第２の側壁部６２２から底面６１に向かって折り曲げられている。また、第３の側壁部６２３の先端が底体６０の底面６１の表面６１ｂに接触している。
【０１０５】
付勢側壁６２の第２の側壁部６２２および第３の側壁部６２３の折り曲げられた状態から元の状態に戻る際の復元力に基づく付勢力が、収容部３に収容された被包装物３０に対して加えるように作用し、その結果、被包装物３０が付勢側壁６２と６５との間で移動しないように保持される。
【０１０６】
付勢側壁６３は、折り線を介して接続されるとともに底面６１より延びるように設けられている第１の側壁部６３１と、折り線を介して第１の側壁部６３１より延びるように設けられている第２の側壁部６３２と、折り線を介して第２の側壁部６３２より延びるように設けられている第３の側壁部６３３との３つの側壁部を含む。
【０１０７】
付勢側壁６３は、先端部としての第２の側壁部６３２および第３の側壁部６３３が収容部３ないしは底面１１に向けて折り曲げられている。具体的には、付勢側壁６３の第２の側壁部６３２が、第１の側壁部６３１から収容部３に向かって折り曲げられている。付勢側壁６３の第３の側壁部６３３が、第２の側壁部６３２から底面６１に向かって折り曲げられている。また、第３の側壁部６２３の先端が底体６０の底面６１の表面６１ｂに接触している。
【０１０８】
付勢側壁６３の第２の側壁部６３２および第３の側壁部６３３の折り曲げられた状態から元の状態に戻る際の復元力に基づく付勢力が、収容部３に収容された被包装物３０に対して加えるように作用し、その結果、被包装物３０が付勢側壁６３と６４との間で移動しないように保持される。
【０１０９】
付勢側壁６４は、折り線を介して底面６１より延びるように設けられている第１の側壁部６４１と、折り線を介して第１の側壁部６４１より延びるように設けられている第２の側壁部６４２と、折り線を介して第２の側壁部６４２より延びるように設けられている第３の側壁部６４３とを含む。
【０１１０】
付勢側壁６４は、先端部としての第２の側壁部６４２および第３の側壁部６４３が収容部３ないしは底面１１に向けて折り曲げられている。具体的には、付勢側壁６２の第２の側壁部６２２が、第１の側壁部６２１から収容部３に向かって折り曲げられている。付勢側壁６２の第３の側壁部６２３が、第２の側壁部６２２から底面６１に向かって折り曲げられている。また、第３の側壁部６４３の先端が底体６０の底面６１の表面６１ｂに接触している。
【０１１１】
付勢側壁６４の第２の側壁部６４２および第３の側壁部６４３の折り曲げられた状態から元の状態に戻る際の復元力に基づく付勢力が、収容部３に収容された被包装物３０に対して加えるように作用し、その結果、被包装物３０が付勢側壁６３と６４との間で移動しないように保持される。
【０１１２】
付勢側壁６５は、折り線を介して底面６１より延びるように設けられている第１の側壁部６５１と、折り線を介して第１の側壁部６５１より延びるように設けられている第２の側壁部６５２との２つの側壁部を含む。
【０１１３】
付勢側壁６５は、先端部としての第２の側壁部６５２が収容部３ないしは底面１１に向けて折り曲げられている。また、付勢側壁６５の第２の側壁部６５２は、側壁６５が底面６１側に部分的に切り起こされることにより形成されている。
【０１１４】
付勢側壁６５の第２の側壁部６５２の折り曲げられた状態から元の状態に戻る際の復元力に基づく付勢力が収容部３に収容された被包装物３０に対して加えるように作用し、その結果、被包装物３０が付勢側壁６２と６５との間で移動しないように保持される。
【０１１５】
蓋体７０は、４つの周縁を有する略四角形状の１つの上面７１と、上面７１の周縁としての折り線を介して上面７１に接続されるとともに上面７１に略垂直な方向に延びるように設けられている３つのフラップ７２、７３および７４とを備えている。
【０１１６】
蓋体７０のフラップ７２、７３および７４は、それぞれ底体６０の付勢側壁６２、６３および６４により収容部３に向かって付勢されている。付勢側壁６２により付勢されたフラップ７４は、付勢側壁６２の第３の側壁部６２３の表面形状に対応した形状であり、これらの表面が全面的に接触するように略同様の表面形状を有している。付勢側壁６３により付勢されたフラップ７２は、付勢側壁６３の第３の側壁部６３３の表面形状に対応した形状であり、これらの表面が全面的に接触するように略同様の表面形状を有している。付勢側壁６４により付勢されたフラップ７３は、付勢側壁６４の第３の側壁部６４３の表面形状に対応した形状であり、これらの表面が全面的に接触するように略同様の表面形状を有している。
【０１１７】
付勢側壁６２により付勢されたフラップ７４は、その先端７４ａが底体６０の底面６１の表面６１ｂに接触している。付勢側壁６３により付勢されたフラップ７２は、その先端７２ａが底体６０の底面６１の表面６１ｂに接触している。付勢側壁６４により付勢されたフラップ７３は、その先端７３ａが底体６０の底面６１の表面６１ｂに接触している。
【０１１８】
なお、上記した第３の実施形態のその他の構成は、第１および第２の実施形態と同様である。 
【０１１９】
上記説明した第３の実施形態によれば、以下の効果を得ることができる。
【０１２０】
（２５）上記第３の実施形態による包装箱１０２は、一枚のシートを用いて組立可能に構成され、底面６１と、底面６１の周縁より底面６１に略垂直な方向に延びるように設けられている４つの側壁６２、６３、６４および６５と、底面６１と４つの側壁６２、６３、６４および６５とにより被包装物３０を収容する収容部３と、を有する底体６０を備え、４つの側壁６２、６３、６４および６５のうち全ての側壁６２、６３、６４および６５を、収容部３に収容された被包装物３０に付勢力を加えるための付勢側壁６２、６３、６４および６５とした。
【０１２１】
上記構成によると、商品などの被包装物３０を包装箱１０２の収容部３に収容した状態で包装箱１０２を移動させた際に、付勢側壁６２、６３、６４および６５の各々に対して被包装物３０を付勢して押し付けた状態で保持することができるため、包装箱１０２の収容部３において被包装物３０を移動しにくくすることができ、その結果、被包装物３０の破損を抑制することができる。
【０１２２】
（２６）上記第３の実施形態による包装箱１０２では、付勢側壁６２の先端部としての第２の側壁部６２２および第３の側壁部６２３、付勢側壁６３の先端部としての第２の側壁部６３２および第３の側壁部６３３、付勢側壁６４の先端部としての第２の側壁部６４２および第３の側壁部６４３、および、付勢側壁６５の先端部としての第２の側壁部６５２を、それぞれ収容部３または底面６１に向けて折り曲げるようにした。これにより、付勢側壁６２、６３、６４および６５のそれぞれの先端部の折り曲げられた状態から元の状態に戻る力を付勢力として被包装物３０に対して加えることができる。また、包装箱１０２を構成する側壁６２、６３、６４および６５を被包装物３０に対して付勢力を加える付勢側壁６２、６３、６４および６５として利用することができるため、包装箱１０２の側壁としての機能と収容部３０に対して付勢力を与える機能とを付勢側壁６２、６３、６４および６５の各々によって兼務させることができる。
【０１２３】
（２７）上記第３の実施形態による包装箱１０２では、付勢側壁６２が、底面６１の周縁より底面６１に略垂直な方向に延びるように設けられている第１の側壁部６２１と、第１の側壁部６２１から収容部３に向かって延びるように設けられている第２の側壁部６２２と、第２の側壁部６２２から底面６１に向かって延びるように設けられている第３の側壁部６２３とを含むようにした。また、付勢側壁６３が、底面６１の周縁より底面６１に略垂直な方向に延びるように設けられている第１の側壁部６３１と、第１の側壁部６３１から収容部３に向かって延びるように設けられている第２の側壁部６３２と、第２の側壁部６３２から底面６１に向かって延びるように設けられている第３の側壁部６３３とを含むようにした。また、付勢側壁６４が、底面６１の周縁より底面６１に略垂直な方向に延びるように設けられている第１の側壁部６４１と、第１の側壁部６４１から収容部３に向かって延びるように設けられている第２の側壁部６４２と、第２の側壁部６４２から底面６１に向かって延びるように設けられている第３の側壁部６４３とを含むようにした。また、付勢側壁６５が、底面６１の周縁より底面６１に略垂直な方向に延びるように設けられている第１の側壁部６５１と、第１の側壁部６５１から収容部３に向かって延びるように設けられている第２の側壁部６５２とを含むようにした。これにより、付勢側壁６２を構成する第２の側壁部６２２および第３の側壁部６２３、付勢側壁６３を構成する第２の側壁部６３２および第３の側壁部６３３、付勢側壁６４を構成する第２の側壁部６４２および第３の側壁部６４３、および、付勢側壁６５を構成する第２の側壁部６５２の折り曲げられた状態から元の状態に戻るそれぞれの力を付勢力として被包装物３０に対して加えることができる。
【０１２４】
（２８）上記第３の実施形態による包装箱１０２では、付勢側壁６２の第３の側壁部６２３、付勢側壁６３の第３の側壁部６３３、および、付勢側壁６４の第３の側壁部６４３を、収容部３に向かって突出するように湾曲させた。これにより、複数の包装箱１０２を構成する側壁の強度を向上させることができるため、包装箱１０２を積み重ねた際に、包装箱１０２がつぶれることや型崩れを抑制することができる。
【０１２５】
（２９）上記第３の実施形態による包装箱１０２では、付勢側壁６２、６３、６４および６５を、底面６１の４つの周縁のうち全ての周縁に設けた。これにより、４つの周縁全てに設けられた付勢側壁６２、６３、６４および６５によって、被包装物３０を収容部３の中央に向かって付勢することができるため、被包装物３０を包装箱１０２の中央に保持することができる。
【０１２６】
（３０）上記第３の実施形態による包装箱１０２では、付勢側壁６２の第３の側壁部６２３の先端、付勢側壁６３の第３の側壁部６３３の先端、付勢側壁６４の第３の側壁部６４３の先端、および、付勢側壁６５の第２の側壁部６５２の先端を底面６１の表面６１ｂに接触させた。これにより、複数の包装箱１０２を積み重ねた際に、積み重ねられた包装箱１０２の加重を付勢側壁６２、６３、６４および６５のそれぞれの先端で受け止めることができるため、付勢側壁６２、６３、６４および６５のそれぞれの先端が底面６１から離間している場合と比較して、包装箱１０２の加重方向に対する変形を抑制することができる。その結果、包装箱１０２の加重方向への強度を向上させることができる。
【０１２７】
（３１）上記第３の実施形態による包装箱１０２では、底面６１の４つの周縁に沿って設けられた４つの側壁６２、６３、６４および６５の全てを付勢側壁とした。これにより、包装箱１０２を構成する４つの側壁６２、６３、６４および６５を付勢側壁として利用することができるため、別途被包装物３０を付勢するための部材を用いることが不要となり、部品点数を削減することができる。
【０１２８】
（３２）上記第３の実施形態による包装箱１０２では、一枚のシートを用いて組立可能に構成し、上面７１と、上面７１の周縁より上面７１に略垂直な方向に延びるように設けられている３つのフラップ７２、７３および７４とを有する蓋体７０をさらに備え、底体６０と蓋体７０とを組み合わせた際に、フラップ７２、７３および７４が、それぞれ付勢側壁６２、６３および６４の収容部３側の表面に接するとともに、付勢側壁６２、６３および６４により収容部３に向かって付勢される。これにより、蓋体７０のフラップ７２、７３および７４が底体６０の付勢側壁６２、６３および６４により収容部３に対して付勢されるため、蓋体７０が閉まった状態から意図せず開くことを抑制することができる。
【０１２９】
（３３）上記第３の実施形態による包装箱１０２では、底体６０の付勢側壁６２、６３および６４により収容部３に向かって付勢された蓋体７０のフラップ７２、７３および７４を、それぞれ付勢側壁６２、６３および６４の表面形状を反映した形状とした。これにより、蓋体７０のフラップ７２、７３および７４と底体６０の付勢側壁６２、６３および６４との接触面積を大きくすることができるため、より確実に蓋体７０のフラップ７２、７３および７４が意図せず開くことを抑制することができる。
【０１３０】
（３４）上記第３の実施形態による包装箱１０２では、底体６０の付勢側壁６２、６３および６４により収容部３に向かって付勢された蓋体７０のフラップ７２、７３および７４のそれぞれの先端７２ａ、７３ａおよび７４ａを底体６０の底面６１の表面６１ｂに接触させた。これにより、複数の包装箱１０２を積み重ねた際に、積み重ねられた包装箱１０２の加重を蓋体７０のフラップ７２、７３および７４のそれぞれの先端７２ａ、７３ａおよび７４ａで受け止めることができるため、蓋体７０のフラップ７２、７３および７４のそれぞれの先端７２ａ、７３ａおよび７４ａが底体６０の底面６１の表面６１ｂから離間している場合と比較して、包装箱１０２の加重方向に対する変形を抑制することができる。その結果、包装箱１０２の加重方向への強度を向上させることができる。
【０１３１】
（３５）上記第３の実施形態による包装箱１０２では、蓋体７０の上面７１の３つの周縁の各々に底体６０の底面６１に設けられた付勢側壁６２、６３および６４に対応するように３つのフラップ７２、７３および７４を設けた。これにより、蓋体７０の上面７１に設けられた３つのフラップ７２、７３および７４が底体６０の付勢側壁６２、６３および６４により収容部３に対して付勢されるため、蓋体７０のフラップ７２、７３および７４が意図せず開くことを抑制することができる。
【０１３２】
（３６）上記第３の実施形態による包装箱１０２では、蓋体７０と底体６０とを一体的に構成し、蓋体７０の上面７１の１つの周縁を底体６０の側壁６５と接続した。これにより、蓋体７０と底体６０とを一枚のシートを用いて一体的に組立可能に構成することができる。 
【０１３３】
（第４の実施形態）
次に、図１５を参照して、第４の実施形態について説明する。この第４の実施形態による包装箱１０３では、底体と蓋体とが一体的に構成された上記第１の実施形態とは異なり、底体と蓋体とを別体により構成し、２つの対向する付勢側壁が設けられた例について説明する。
【０１３４】
この第４の実施形態による包装箱１０３は、底体８０と蓋体９０とが別体により構成されており、底体８０と蓋体９０とを組み合わせて使用するものである。底体８０および蓋体９０はそれぞれ一枚のシートを用いて組立可能となっており、組立後に底体８０に対して蓋体９０が開閉可能（嵌め込み可能）になっている。
【０１３５】
底体８０は、四角形状の１つの底面８１と、底面８１の周縁としての４つの折り線の各々を介して接続されるとともに底面８１の周縁より底面８１に略垂直な方向に延びるように設けられている４つの側壁８２、８３、８４および８５と、底面８１と４つの側壁８２、８３、８４および８５とにより囲まれた領域に被包装物３０を収容する収容部３とを備えている。
【０１３６】
底体８０の底面８１に設けられた４つの側壁８２、８３、８４および８５のうち２つの対向する側壁８３および８４は、収容部３に収容された被包装物３０に付勢力を加える付勢側壁である。この付勢側壁８３は、折り線を介して底面８１に接続されるとともに底面８１より延びるように設けられている第１の側壁部８３１と、折り線を介して第１の側壁部８３１に接続されるとともに第１の側壁部８３１より延びるように設けられている第２の側壁部８３２と、折り線を介して第２の側壁部８３２に接続されるとともに第２の側壁部８３２より延びるように設けられている第３の側壁部８３３との３つの側壁部を含む。
【０１３７】
付勢側壁８３は、先端部としての第２の側壁部８３２および第３の側壁部８３３が収容部３ないしは底面８１に向けて折り曲げられている。具体的には、付勢側壁８３の第２の側壁部８３２が、第１の側壁部８３１から収容部３に向かって折り曲げられている。付勢側壁８３の第３の側壁部８３３が、第２の側壁部８３２から底面８１に向かって折り曲げられている。
【０１３８】
付勢側壁８３の第２の側壁部８３２および第３の側壁部８３３の折り曲げられた状態から元の状態に戻る際の復元力に基づく付勢力が、収容部３に収容された被包装物３０に対して加えるように作用し、その結果、被包装物３０が付勢側壁８３と８４との間で移動しないように保持される。
【０１３９】
付勢側壁８４は、折り線を介して底面８１より延びるように設けられている第１の側壁部８４１と、折り線を介して第１の側壁部８４１より延びるように設けられている第２の側壁部８４２と、折り線を介して第２の側壁部８４２より延びるように設けられている第３の側壁部８４３との３つの側壁部を含む。
【０１４０】
付勢側壁８４は、先端部としての第２の側壁部８４２および第３の側壁部８４３が収容部３ないしは底面８１に向けて折り曲げられている。具体的には、付勢側壁８４の第２の側壁部８４２が、第１の側壁部８４１から収容部３に向かって折り曲げられている。付勢側壁８４の第３の側壁部８４３が、第２の側壁部８４２から底面８１に向かって折り曲げられている。
【０１４１】
付勢側壁８４の第２の側壁部８４２および第３の側壁部８４３の折り曲げられた状態から元の状態に戻る際の復元力に基づく付勢力が、収容部３に収容された被包装物３０に対して加えるように作用し、その結果、被包装物３０が付勢側壁８３と８４との間で移動しないように保持される。
【０１４２】
蓋体９０は、４つの周縁を有する略四角形状の１つの上面９１と、上面９１の周縁としての折り線を介して接続されるとともに上面９１に略垂直な方向に延びるように設けられている４つのフラップ９２、９３、９４および９５とを備えている。
【０１４３】
蓋体９０のフラップ９３は、底体８０の付勢側壁８３により収容部３に向かって付勢されている。また、付勢側壁８３により付勢されたフラップ９３は、付勢側壁８３の第３の側壁部８３３の表面形状に対応した形状であり、具体的には、フラップ９３の表面と、付勢側壁８３の表面とが、全面的に接触するように略同様の表面形状を有していることをいう。また、付勢側壁８３により付勢されたフラップ９３は、その先端９３ａが底体８０の底面８１の表面８１ｂに接触している。
【０１４４】
蓋体９０のフラップ９４は、底体８０の付勢側壁８４により収容部３に向かって付勢されている。また、付勢側壁８４により付勢されたフラップ９４は、付勢側壁８４の第３の側壁部８４３の表面形状に対応した形状であり、具体的には、フラップ９４の表面と、付勢側壁８４の表面とが、全面的に接触するように略同様の表面形状を有していることをいう。また、付勢側壁８４により付勢されたフラップ９４は、その先端９４ａが底体８０の底面８１の表面８１ｂに接触している。なお、蓋体９０のフラップ９２および９５は、それぞれの先端９２ａおよび９５ａが底体８０の底面８１の表面８１ｂに接触している。
【０１４５】
なお、上記した第４の実施形態のその他の構成は、第１の実施形態と同様である。 
【０１４６】
上記説明した第４の実施形態によれば、以下の効果を得ることができる。
【０１４７】
（３７）上記第４の実施形態による包装箱１０３は、一枚のシートを用いて組立可能に構成され、底面８１と、底面８１の周縁より底面８１に略垂直な方向に延びるように設けられている４つの側壁８２、８３、８４および８５と、底面８１と４つの側壁８２、８３、８４および８５とにより被包装物３０を収容する収容部３と、を有する底体８０を備え、４つの側壁８２、８３、８４および８５のうち２つの側壁８３および８４を、収容部３に収容された被包装物３０に付勢力を加えるための付勢側壁８３および８４とした。
【０１４８】
上記構成によると、商品などの被包装物３０を包装箱１０３の収容部３に収容した状態で包装箱１０３を移動させた際に、付勢側壁８３と付勢側壁８４とが互いに被包装物３０を付勢して押し付けた状態で保持することができるため、包装箱１０３の収容部３において被包装物３０を移動しにくくすることができ、その結果、被包装物３０の破損を抑制することができる。
【０１４９】
（３８）上記第４の実施形態による包装箱１０３では、付勢側壁８３の先端部としての第２の側壁部８３２および第３の側壁部８３３、および、付勢側壁８４の先端部としての第２の側壁部８４２および第３の側壁部８４３を、収容部３または底面８１に向けて折り曲げるようにした。これにより、付勢側壁８３の先端部８３２および８３３、および、付勢側壁８４の先端部としての８４２および８４３の折り曲げられた状態から元の状態に戻る力を付勢力として被包装物３０に対して加えることができる。また、包装箱１０３を構成する側壁８３および８４を被包装物３０に対して付勢力を加える付勢側壁８３および８４として利用することができるため、包装箱１０３の側壁としての機能と収容部３０に対して付勢力を与える機能とを付勢側壁８３および８４の各々によって兼務させることができる。
【０１５０】
（３９）上記第４の実施形態による包装箱１０３では、付勢側壁８３が、底面８１の周縁より底面８１に略垂直な方向に延びるように設けられている第１の側壁部８３１と、第１の側壁部８３１から収容部３に向かって延びるように設けられている第２の側壁部８３２と、第２の側壁部８３２から底面８１に向かって延びるように設けられている第３の側壁部８３３とを含むようにした。また、付勢側壁８４が、底面８１の周縁より底面８１に略垂直な方向に延びるように設けられている第１の側壁部８４１と、第１の側壁部８４１から収容部３に向かって延びるように設けられている第２の側壁部８４２と、第２の側壁部８４２から底面８１に向かって延びるように設けられている第３の側壁部８４３とを含むようにした。これにより、付勢側壁８３を構成する第２の側壁部８３２および第３の側壁部８３３、および、付勢側壁８４構成する第２の側壁部８４２および第３側壁部８４３の折り曲げられた状態から元の状態に戻るそれぞれの力を付勢力として被包装物３０に対して加えることができる。
【０１５１】
（４０）上記第４の実施形態による包装箱１０３では、付勢側壁８３の第３の側壁部８３３および付勢側壁８４の第３の側壁部８４３を、収容部３に向かって突出するように湾曲させた。これにより、複数の包装箱１０３を構成する側壁の強度を向上させることができるため、包装箱１０３を積み重ねた際に、包装箱１０３がつぶれることや型崩れを抑制することができる。
【０１５２】
（４１）上記第４の実施形態による包装箱１０３では、付勢側壁８３および８４を、底面８１の周縁のうち対向する周縁に設けた。これにより、対向する周縁に設けられた２つの付勢側壁８３および８４によって、被包装物３０を対向する周縁の中央に向かって付勢することができるため、被包装物３０を包装箱１０３の中央に保持することができる。
【０１５３】
（４２）上記第４の実施形態による包装箱１０３では、付勢側壁８３の先端および付勢側壁８４の先端のそれぞれを底面８１の表面８１ｂに接触させた。これにより、複数の包装箱１０３を積み重ねた際に、積み重ねられた包装箱１０３の加重を付勢側壁８３の先端および付勢側壁８４の先端で受け止めることができるため、付勢側壁８３の先端および付勢側壁８４の先端が底面８１から離間している場合と比較して、包装箱１０３の加重方向に対する変形を抑制することができる。その結果、包装箱１０３の加重方向への強度を向上させることができる。
【０１５４】
（４３）上記第４の実施形態による包装箱１０３では、底面８１の４つの周縁に沿って設けられた４つの側壁８２、８３、８４および８５のうち２つの側壁８３および８４を付勢側壁とした。これにより、包装箱１０３を構成する２つの側壁８３および８４を付勢側壁として利用することができるため、別途被包装物３０を付勢するための部材を用いることが不要となり、部品点数を削減することができる。
【０１５５】
（４４）上記第４の実施形態による包装箱１０３では、一枚のシートを用いて組立可能に構成し、上面９１と、上面９１の周縁より上面９１に略垂直な方向に延びるように設けられている４つのフラップ９２、９３、９４および９５とを有する蓋体９０をさらに備え、底体８０と蓋体９０とを組み合わせた際に、フラップ９３および９４が、付勢側壁８３および８４の収容部３側の表面に接するとともに、付勢側壁８３および８４により収容部３に向かって付勢される。これにより、蓋体９０のフラップ９３および９４が底体８０の付勢側壁８３および８４により収容部３に対して付勢されるため、蓋体９０が閉まった状態から意図せず開くことを抑制することができる。
【０１５６】
（４５）上記第４の実施形態による包装箱１０３では、底体８０の付勢側壁８３および８４により収容部３に向かって付勢された蓋体９０のフラップ９３および９４を、付勢側壁８３および８４の表面形状を反映した形状とした。これにより、蓋体９０のフラップ９３および９４と底体８０の付勢側壁８３および８４との接触面積を大きくすることができるため、より確実に蓋体９０のフラップ９３および９４が意図せず開くことを抑制することができる。
【０１５７】
（４６）上記第４の実施形態による包装箱１０３では、付勢側壁８３および８４により収容部３に向かって付勢された蓋体９０のフラップ９３の先端９３ａおよびフラップ９４の先端９４ａを底体８０の底面８１の表面８１ｂに接触させた。これにより、複数の包装箱１０３を積み重ねた際に、積み重ねられた包装箱１０３の加重を蓋体９０のフラップ９３の先端９３ａおよびフラップ９４の先端９４ａで受け止めることができるため、蓋体９０のフラップ９３の先端９３ａおよびフラップ９４の先端９４ａが底体８０の底面８１の表面８１ｂから離間している場合と比較して、包装箱１０３の加重方向に対する変形を抑制することができる。その結果、包装箱１０３の加重方向への強度を向上させることができる。
【０１５８】
（４７）上記第４の実施形態による包装箱１０３では、蓋体９０の上面９１の２つの周縁の各々に底体８０の底面８１に設けられた付勢側壁８３および８４に対応するように２つのフラップ９３および９４を設けた。これにより、蓋体９０の上面９１に設けられた２つのフラップ９３および９４が底体８０の付勢側壁８３および８４により収容部３に対して付勢されるため、蓋体９０のフラップ９３および９４が意図せず開くことを抑制することができる。
【０１５９】
（４８）上記第４の実施形態による包装箱１０３では、蓋体９０と底体８０とを別体により構成した。これにより、蓋体９０と底体８０とを別々に一枚のシートを用いて組立可能に構成することができる。 
【０１６０】
（第５の実施形態）
次に、図１６を参照して、第５の実施形態について説明する。この第５の実施形態による包装箱１０４では、底体と蓋体とを別体により構成して対向する２つの付勢側壁が設けられた上記第４の実施形態とは異なり、底体と蓋体とを別体により構成して１つの付勢側壁が設けられた例について説明する。
【０１６１】
この第５の実施形態による包装箱１０４は、底体８０１と蓋体９０１とが別体により構成されており、底体８０１と蓋体９０１とを組み合わせて使用するものである。底体８０１および蓋体９０１はそれぞれ一枚のシートを用いて組立可能となっており、組立後に底体８０１に対して蓋体９０１が開閉可能（嵌め込み可能）になっている。
【０１６２】
底体８０１は、四角形状の１つの底面８１と、底面８１の周縁としての４つの折り線の各々を介して接続されるとともに底面８１の周縁より底面８１に略垂直な方向に延びるように設けられている４つの側壁８２、８４、８５および８６と、底面８１と４つの側壁８２、８４、８５および８６とにより囲まれた領域に被包装物３０を収容する収容部３とを備えている。
【０１６３】
付勢側壁８４は、折り線を介して底面８１に接続されるとともに底面８１より延びるように設けられている第１の側壁部８４１と、折り線を介して第１の側壁部８４１に接続されるとともに第１の側壁部８４１より延びるように設けられている第２の側壁部８４２と、折り線を介して第２の側壁部８４２に接続されるとともに第２の側壁部８４２より延びるように設けられている第３の側壁部８４３との３つの側壁部を含む。
【０１６４】
付勢側壁８４は、先端部としての第２の側壁部８４２および第３の側壁部８４３が収容部３または底面８１に向けて折り曲げられている。具体的には、付勢側壁８４の第２の側壁部８４２が、第１の側壁部８４１から収容部３に向かって折り曲げられている。付勢側壁８４の第３の側壁部８４３が、第２の側壁部８４２から底面８１に向かって折り曲げられている。
【０１６５】
付勢側壁８４の第２の側壁部８４２および第３の側壁部８４３の折り曲げられた状態から元の状態に戻る際の復元力に基づく付勢力が、収容部３に収容された被包装物３０に対して加えるように作用し、その結果、被包装物３０が付勢側壁８４と側壁８６との間で移動しないように保持される。
【０１６６】
蓋体９０１は、４つの周縁を有する略四角形状の１つの上面９１と、上面９１の周縁としての４つの折り線の各々を介して接続されるとともに上面９１に略垂直な方向に延びるように設けられている４つのフラップ９２、９４、９５および９６とを備えている。
【０１６７】
蓋体９０１のフラップ９４は、底体８０１の付勢側壁８４により収容部３に向かって付勢されている。また、付勢側壁８４により付勢されたフラップ９４は、付勢側壁８４の第３の側壁部８４３の表面形状に対応した形状であり、具体的には、フラップ９４の表面と、付勢側壁８４の表面とが、全面的に接触するように略同様の表面形状を有していることをいう。また、付勢側壁８４により付勢されたフラップ９４は、その先端９４ａが底体８０１の底面８１の表面８１ｂに接触している。なお、蓋体９０１のフラップ９２、９５および９６は、それぞれの先端９２ａ、９５ａおよび９６ａが底体８０１の底面８１の表面８１ｂに接触している。
【０１６８】
なお、上記した第５の実施形態のその他の構成は、第４の実施形態と同様である。 
【０１６９】
上記説明した第５の実施形態によれば、以下の効果を得ることができる。
【０１７０】
（４９）上記第５の実施形態による包装箱１０４は、一枚のシートを用いて組立可能に構成され、底面８１と、底面８１の周縁より底面８１に略垂直な方向に延びるように設けられている４つの側壁８２、８４、８５および８６と、底面８１と４つの側壁８２、８４、８５および８６とにより被包装物３０を収容する収容部３と、を有する底体８０１を備え、４つの側壁８２、８４、８５および８６のうち１つの側壁８４を、収容部３に収容された被包装物３０に付勢力を加える付勢側壁８４とした。
【０１７１】
上記構成によると、商品などの被包装物３０を包装箱１０４の収容部３に収容した状態で包装箱１０４を移動させた際に、付勢側壁８４が側壁８６に対して被包装物３０を付勢して押し付けた状態で保持することができるため、包装箱１０４の収容部３において被包装物３０を移動しにくくすることができ、その結果、被包装物３０の破損を抑制することができる。
【０１７２】
（５０）上記第５の実施形態による包装箱１０４では、付勢側壁８４の先端部としての第２の側壁部８４２および第３の側壁部８４３を、収容部３または底面８１に向けて折り曲げるようにした。これにより、付勢側壁８４の先端部８４２および８４３の折り曲げられた状態から元の状態に戻る力を付勢力として被包装物３０に対して加えることができる。また、包装箱１０４を構成する側壁８４を被包装物３０に対して付勢力を加える付勢側壁８４として利用することができるため、包装箱１０４の側壁としての機能と収容部３０に対して付勢力を与える機能とを付勢側壁８４によって兼務させることができる。
【０１７３】
（５１）上記第５の実施形態による包装箱１０４では、付勢側壁８４が、底面８１の周縁より底面８１に略垂直な方向に延びるように設けられている第１の側壁部８４１と、第１の側壁部８４１から収容部３に向かって延びるように設けられている第２の側壁部８４２と、第２の側壁部８４２から底面８１に向かって延びるように設けられている第３の側壁部８４３とを含むようにした。これにより、付勢側壁８４を構成する第２の側壁部８４２および第３の側壁部８４３の折り曲げられた状態から元の状態に戻るそれぞれの力を付勢力として被包装物３０に対して加えることができる。
【０１７４】
（５２）上記第５の実施形態による包装箱１０４では、付勢側壁８４の第３の側壁部８４３を、収容部３に向かって突出するように湾曲させた。これにより、複数の包装箱１０４を構成する側壁の強度を向上させることができるため、包装箱１０４を積み重ねた際に、包装箱１０４がつぶれることや型崩れを抑制することができる。
【０１７５】
（５３）上記第５の実施形態による包装箱１０４では、付勢側壁８４を、底面８１の周縁のうち１つの周縁に設けた。これにより、１つの付勢側壁８４によって、被包装物３０を収容部３の中央に向かって付勢することができるため、被包装物３０を包装箱１０４の中央に保持することができる。
【０１７６】
（５４）上記第５の実施形態による包装箱１０４では、付勢側壁８４の第３の側壁部８４３の先端を底面８１の表面８１ｂに接触させた。これにより、複数の包装箱１０４を積み重ねた際に、積み重ねられた包装箱１０４の加重を付勢側壁８４の第３の側壁部８４３の先端で受け止めることができるため、付勢側壁８４の第３の側壁部８４３の先端が底面８１の表面８１ｂから離間している場合と比較して、包装箱１０４の加重方向に対する変形を抑制することができる。その結果、包装箱１０４の加重方向への強度を向上させることができる。
【０１７７】
（５５）上記第５の実施形態による包装箱１０４では、底面８１の４つの周縁に沿って設けられた４つの側壁８２、８４、８５および８６のうち１つの側壁８４を付勢側壁とした。これにより、包装箱１０４を構成する１つの側壁８４を付勢側壁として利用することができるため、別途被包装物３０を付勢するための部材を用いることが不要となり、部品点数を削減することができる。
【０１７８】
（５６）上記第５の実施形態による包装箱１０４では、一枚のシートを用いて組立可能に構成し、上面９１と、上面９１の周縁より上面に略垂直な方向に延びるように設けられている４つのフラップ９２、９４、９５および９６とを有する蓋体９０１をさらに備え、底体８０１と蓋体９０１とを組み合わせた際に、蓋体９０１のフラップ９４が、付勢側壁８４の第３の側壁部８４３の収容部３側の表面に接するとともに、付勢側壁８４により収容部３に向かって付勢される。これにより、蓋体９０１のフラップ９４が底体８０１の付勢側壁８４により収容部３に対して付勢されるため、蓋体９０１が閉まった状態から意図せず開くことを抑制することができる。
【０１７９】
（５７）上記第５の実施形態による包装箱１０４では、底体８０１の付勢側壁８４により収容部３に向かって付勢された蓋体９０１のフラップ９４を、付勢側壁８４の表面形状を反映した形状とした。これにより、蓋体９０１のフラップ９４と底体８０１の付勢側壁８４との接触面積を大きくすることができるため、より確実に蓋体９０１のフラップ９４が意図せず開くことを抑制することができる。
【０１８０】
（５８）上記第５の実施形態による包装箱１０４では、付勢側壁８４により収容部３に向かって付勢された蓋体９０１のフラップ９４の先端９４ａを底体８０１の底面８１の表面８１ｂに接触させた。これにより、複数の包装箱１０４を積み重ねた際に、積み重ねられた包装箱１０４の加重を蓋体９０１のフラップ９４の先端９４ａで受け止めることができるため、蓋体９０１のフラップ９４の先端９４ａが底体８０１の底面８１の表面８１ｂから離間している場合と比較して、包装箱１０４の加重方向に対する変形を抑制することができる。その結果、包装箱１０４の加重方向への強度を向上させることができる。
【０１８１】
（５９）上記第５の実施形態による包装箱１０４では、蓋体９０１の上面９１の１つの周縁に底体８０１の底面８１に設けられた付勢側壁８４に対応するように１つのフラップ９４を設けた。これにより、蓋体９０１の上面９１に設けられた１つのフラップ９４が底体８０１の付勢側壁８４により収容部３に対して付勢されるため、蓋体９０１のフラップ９４が意図せず開くことを抑制することができる。
【０１８２】
（６０）上記第５の実施形態による包装箱１０４では、蓋体９０１と底体８０１とを別体により構成した。これにより、蓋体９０１と底体８０１とを別々に一枚のシートを用いて組立可能に構成することができる。 
【０１８３】
（第６の実施形態）
次に、図１７を参照して、第６の実施形態について説明する。この第６の実施形態による包装箱１０５では、底体と蓋体とを別体により構成して対向する２つの付勢側壁が設けられた上記第４の実施形態、および、１つの付勢側壁が設けられた上記第５の実施形態とは異なり、体と蓋体とを別体により構成して４つの付勢側壁が設けられた例について説明する。
【０１８４】
この第６の実施形態による包装箱１０５は、底体８０２と蓋体９０２とが別体により構成されており、底体８０２と蓋体９０２とを組み合わせて使用するものである。底体８０２および蓋体９０２がそれぞれ一枚のシートを用いて組立可能となっており、組立後に底体８０２に対して蓋体９０２が開閉可能（嵌め込み可能）になっている。
【０１８５】
底体８０２は、四角形状の１つの底面８１と、底面８１の周縁としての４つの折り線の各々を介して接続されるとともに底面８１の周縁より底面８１に略垂直な方向に延びるように設けられている側壁８３、８４、８７および８８と、底面８１と４つの側壁８３、８４、８７および８８とにより囲まれた領域に被包装物３０を収容する収容部３とを備えている。
【０１８６】
底体８０２の底面８１に設けられた４つの側壁８３、８４、８７および８８の全ての側壁は、収容部３に収容された被包装物３０に付勢力を加える付勢側壁である。この付勢側壁８３は、折り線を介して底面８１に接続されるとともに底面８１より延びるように設けられた第１の側壁部８３１と、折り線を介して第１の側壁部８３１に接続されるとともに第１の側壁部８３１より延びるように設けられた第２の側壁部８３２と、折り線を介して第２の側壁部８３２に接続されるとともに第２の側壁部８３２より延びるように設けられた第３の側壁部８３３との３つの側壁部を含む。
【０１８７】
付勢側壁８３は、先端部としての第２の側壁部８３２および第３の側壁部８３３が収容部３ないしは底面８１に向けて折り曲げられている。具体的には、付勢側壁８３の第２の側壁部８３２が、第１の側壁部８３１から収容部３に向かって折り曲げられている。付勢側壁８３の第３の側壁部８３３が、第２の側壁部８３２から底面８１に向かって折り曲げられている。
【０１８８】
付勢側壁８３の第２の側壁部８３２および第３の側壁部８３３は、折り曲げられた状態から元の状態に戻る際の復元力に基づく付勢力が、収容部３に収容された被包装物３０に対して加えるように作用し、その結果、被包装物３０が付勢側壁８３と８４との間で移動しないように保持される。
【０１８９】
付勢側壁８４は、折り線を介して底面８１に接続されるとともに底面８１より延びるように設けられた第１の側壁部８４１と、折り線を介して第１の側壁部８４１に接続されるとともに第１の側壁部８４１より延びるように設けられた第２の側壁部８４２と、折り線を介して第２の側壁部８４２に接続されるとともに第２の側壁部８４２より延びるように設けられた第３の側壁部８４３との３つの側壁部を含む。
【０１９０】
付勢側壁８４は、先端部としての第２の側壁部８４２および第３の側壁部８４３が収容部３ないしは底面８１に向けて折り曲げられている。具体的には、付勢側壁８４の第２の側壁部８４２が、第１の側壁部８４１から収容部３に向かって折り曲げられている。付勢側壁８４の第３の側壁部８４３が、第２の側壁部８４２から底面８１に向かって折り曲げられている。
【０１９１】
付勢側壁８４の第２の側壁部８４２および第３の側壁部８４３は、折り曲げられた状態から元の状態に戻る際の復元力に基づく付勢力が、収容部３に収容された被包装物３０に対して加えるように作用し、その結果、被包装物３０が付勢側壁８３と８４との間で移動しないように保持される。
【０１９２】
付勢側壁８７は、折り線を介して底面８１に接続されるとともに底面８１より延びるように設けられた第１の側壁部８７１と、折り線を介して第１の側壁部８７１に接続されるとともに第１の側壁部８７１より延びるように設けられた第２の側壁部８７２と、折り線を介して第２の側壁部８７２に接続されるとともに第２の側壁部８７２より延びるように設けられた第３の側壁部８７３との３つの側壁部を含む。
【０１９３】
付勢側壁８７は、先端部としての第２の側壁部８７２および第３の側壁部８７３が収容部３または底面８１に向けて折り曲げられている。具体的には、付勢側壁８７の第２の側壁部８７２が、第１の側壁部８７１から収容部３に向かって折り曲げられている。付勢側壁８７の第３の側壁部８７３が、第２の側壁部８７２から底面８１に向かって折り曲げられている。
【０１９４】
付勢側壁８７の第２の側壁部８７２および第３の側壁部８７３の折り曲げられた状態から元の状態に戻る際の復元力に基づく付勢力が、収容部３に収容された被包装物３０に対して加えるように作用し、その結果、被包装物３０が付勢側壁８７と８８との間で移動しないように保持される。
【０１９５】
付勢側壁８８は、折り線を介して底面８１に接続されるとともに底面８１より延びるように設けられた第１の側壁部８８１と、折り線を介して第１の側壁部８８１に接続されるとともに第１の側壁部８８１より延びるように設けられた第２の側壁部８８２と、折り線を介して第２の側壁部８８２に接続されるとともに第２の側壁部８８２より延びるように設けられた第３の側壁部８８３との３つの側壁部を含む。
【０１９６】
付勢側壁８８は、先端部としての第２の側壁部８８２および第３の側壁部８８３が収容部３または底面８１に向けて折り曲げられている。具体的には、付勢側壁８８の第２の側壁部８８２が、第１の側壁部８８１から収容部３に向かって折り曲げられている。付勢側壁８８の第３の側壁部８８３が、第２の側壁部８８２から底面８１に向かって折り曲げられている。
【０１９７】
付勢側壁８８の第２の側壁部８８２および第３の側壁部８８３の折り曲げられた状態から元の状態に戻る際の復元力に基づく付勢力が、収容部３に収容された被包装物３０に対して加えるように作用し、その結果、被包装物３０が付勢側壁８７と８８との間で移動しないように保持される。
【０１９８】
蓋体９０２は、４つの周縁を有する略四角形状の１つの上面９１と、上面９１の周縁としての４つの折り線の各々を介して接続されるとともに上面９１に略垂直な方向に延びるように設けられている４つのフラップ９３、９４、９７および９８とを備えている。
【０１９９】
蓋体９０２のフラップ９３は、底体８０２の付勢側壁８３により収容部３に向かって付勢されている。また、付勢側壁８３により付勢されたフラップ９３は、付勢側壁８３の第３の側壁部８３３の表面形状に対応した形状であり、具体的には、フラップ９３の表面と、付勢側壁８３の表面とが、全面的に接触するように略同様の表面形状を有していることをいう。また、付勢側壁８３により付勢されたフラップ９３は、その先端９３ａが底体８０２の底面８１の表面８１ｂに接触している。
【０２００】
蓋体９０２のフラップ９４は、底体８０２の付勢側壁８４により収容部３に向かって付勢されている。また、付勢側壁８４により付勢されたフラップ９４は、付勢側壁８４の第３の側壁部８４３の表面形状に対応した形状であり、具体的には、フラップ９４の表面と、付勢側壁８４の表面とが、全面的に接触するように略同様の表面形状を有していることをいう。また、付勢側壁８４により付勢されたフラップ９４は、その先端９４ａが底体８０２の底面８１の表面８１ｂに接触している。
【０２０１】
蓋体９０２のフラップ９７は、底体８０２の付勢側壁８７により収容部３に向かって付勢されている。また、付勢側壁８７により付勢されたフラップ９７は、付勢側壁８７の第３の側壁部８７３の表面形状に対応した形状であり、具体的には、フラップ９７の表面と、付勢側壁８７の表面とが、全面的に接触するように略同様の表面形状を有していることをいう。また、付勢側壁８７により付勢されたフラップ９７は、その先端９７ａが底体８０２の底面８１の表面８１ｂに接触している。
【０２０２】
蓋体９０２のフラップ９８は、底体８０２の付勢側壁８８により収容部３に向かって付勢されている。また、付勢側壁８８により付勢されたフラップ９８は、付勢側壁８８の第３の側壁部８８３の表面形状に対応した形状であり、具体的には、フラップ９８の表面と、付勢側壁８８の表面とが、全面的に接触するように略同様の表面形状を有していることをいう。また、付勢側壁８８により付勢されたフラップ９８は、その先端９８ａが底体８０２の底面８１の表面８１ｂに接触している。
【０２０３】
なお、上記した第６の実施形態のその他の構成は、第４および第５の実施形態と同様である。 
【０２０４】
上記説明した第６の実施形態によれば、以下の効果を得ることができる。
【０２０５】
（６１）上記第６の実施形態による包装箱１０５は、一枚のシートを用いて組立可能に構成され、底面８１と、底面８１の周縁より底面８１に略垂直な方向に延びるように設けられている４つの側壁８３、８４、８７および８８と、底面８１と４つの側壁８３、８４、８７および８８とにより被包装物３０を収容する収容部３と、を有する底体８０２２を備え、４つの側壁８３、８４、８７および８８のうち全ての側壁８３、８４、８７および８８を、収容部３に収容された被包装物３０に付勢力を加えるための付勢側壁８３、８４、８７および８８とした。
【０２０６】
上記構成によると、商品などの被包装物３０を包装箱１０５の収容部３に収容した状態で包装箱１０５を移動させた際に、付勢側壁８３、８４、８７および８８のそれぞれが被包装物３０を付勢して押し付けた状態で保持することができるため、包装箱１０５の収容部３において被包装物３０を移動しにくくすることができ、その結果、被包装物３０の破損を抑制することができる。
【０２０７】
（６２）上記第６の実施形態による包装箱１０５では、付勢側壁８３の先端部としての第２の側壁部８３２および第３の側壁部８３３、付勢側壁８４の先端部としての第２の側壁部８４２および第３の側壁部８４３、および、付勢側壁８７の先端部としての第２の側壁部８７２および第３の側壁部８７３、および、付勢側壁８８の先端部としての第２の側壁部８８２および第３の側壁部８８３を、収容部３または底面８１に向けて折り曲げるようにした。これにより、付勢側壁８３、８４、８７および８８のそれぞれの先端部の折り曲げられた状態から元の状態に戻る力を付勢力として被包装物３０に対して加えることができる。また、包装箱１０５を構成する側壁８３、８４、８７および８８を被包装物３０に対して付勢力を加える付勢側壁８３、８４、８７および８８として利用することができるため、包装箱１０５の側壁としての機能と収容部３０に対して付勢力を与える機能とを付勢側壁８３、８４、８７および８８の各々によって兼務させることができる。
【０２０８】
（６３）上記第６の実施形態による包装箱１０５では、付勢側壁８３が、底面８１の周縁より底面８１に略垂直な方向に延びるように設けられている第１の側壁部８３１と、第１の側壁部８３１から収容部３に向かって延びるように設けられている第２の側壁部８３２と、第２の側壁部８３２から底面８１に向かって延びるように設けられている第３の側壁部８３３とを含むようにした。また、付勢側壁８４が、底面８１の周縁より底面８１に略垂直な方向に延びるように設けられている第１の側壁部８４１と、第１の側壁部８４１から収容部３に向かって延びるように設けられている第２の側壁部８４２と、第２の側壁部８４２から底面８１に向かって延びるように設けられている第３の側壁部８４３とを含むようにした。また、付勢側壁８７が、底面８１の周縁より底面８１に略垂直な方向に延びるように設けられている第１の側壁部８７１と、第１の側壁部８７１から収容部３に向かって延びるように設けられている第２の側壁部８７２と、第２の側壁部８７２から底面８１に向かって延びるように設けられている第３の側壁部８７３とを含むようにした。また、付勢側壁８８が、底面８１の周縁より底面８１に略垂直な方向に延びるように設けられている第１の側壁部８８１と、第１の側壁部８８１から収容部３に向かって延びるように設けられている第２の側壁部８８２と、第２の側壁部８８２から底面８１に向かって延びるように設けられている第３の側壁部８８３とを含むようにした。これにより、付勢側壁８３を構成する第２の側壁部８３２および第３の側壁部８３３、付勢側壁８４を構成する第２の側壁部８４２および第３の側壁部８４３、付勢側壁８７を構成する第２の側壁部８７２および第３の側壁部８７３、および、付勢側壁８８を構成する第２の側壁部８８２および第３の側壁部８８３の折り曲げられた状態から元の状態に戻るそれぞれの力を付勢力として被包装物３０に対して加えることができる。
【０２０９】
（６４）上記第６の実施形態による包装箱１０５では、付勢側壁８３の第３の側壁部８３３、付勢側壁８４の第３の側壁部８４３、付勢側壁８７の第３の側壁部８７３、および、付勢側壁８８の第３の側壁部８８３を収容部３に向かって突出するように湾曲させた。これにより、複数の包装箱１０５を構成する側壁の強度を向上させることができるため、包装箱１０５を積み重ねた際に、包装箱１０５がつぶれることや型崩れを抑制することができる。
【０２１０】
（６５）上記第６の実施形態による包装箱１０５では、付勢側壁８３、８４、８７および８８を、底面８１の４つの周縁のうち全ての周縁に設けた。これにより、４つの付勢側壁８３、８４、８７および８８によって、被包装物３０を収容部３の中央に向かって付勢することができるため、被包装物３０を包装箱１０５の中央に保持することができる。
【０２１１】
（６６）上記第６の実施形態による包装箱１０５では、付勢側壁８３、８４、８７および８８のそれぞれの先端を底面８１の表面８１ｂに接触させた。これにより、複数の包装箱１０５を積み重ねた際に、積み重ねられた包装箱１０５の加重を付勢側壁８３、８４、８７および８８のそれぞれの先端で受け止めることができるため、これらの付勢側壁８３、８４、８７および８８のそれぞれの先端が底面８１の表面８１ｂから離間している場合と比較して、包装箱１０５の加重方向に対する変形を抑制することができる。その結果、包装箱１０５の加重方向への強度を向上させることができる。
【０２１２】
（６７）上記第６の実施形態による包装箱１０５では、底面８１の４つの周縁に沿って設けられた４つの全ての側壁８３、８４、８７および８８を付勢側壁とした。これにより、包装箱１０５を構成する全ての側壁８３、８４、８７および８８を付勢側壁として利用することができるため、別途被包装物３０を付勢するための部材を用いることが不要となり、部品点数を削減することができる。
【０２１３】
（６８）上記第６の実施形態による包装箱１０５では、一枚のシートを用いて組立可能に構成し、上面９１と、上面９１の周縁より上面９１に略垂直な方向に延びるように設けられている４つのフラップ９３、９４、９７および９８とを有する蓋体９０２をさらに備え、底体８０２と蓋体９０２とを組み合わせた際に、フラップ９３、９４、９７および９８が、付勢側壁８３、８４、８７および８８の収容部３側の表面に接するとともに、付勢側壁８３、８４、８７および８８により収容部３に向かって付勢される。これにより、蓋体９０２のフラップ９３、９４、９７および９８が底体８０２の付勢側壁８３、８４、８７および８８により収容部３に対して付勢されるため、蓋体９０２が閉まった状態から意図せず開くことを抑制することができる。
【０２１４】
（６９）上記第６の実施形態による包装箱１０５では、底体８０２の付勢側壁８３、８４、８７および８８により収容部３に向かって付勢された蓋体９０２のフラップ９３、９４、９７および９８を、付勢側壁８３、８４、８７および８８の表面形状を反映した形状とした。これにより、蓋体９０２のフラップ９３、９４、９７および９８と底体８０２の付勢側壁８３、８４、８７および８８との接触面積を大きくすることができるため、より確実に蓋体９０２のフラップ９３、９４、９７および９８が意図せず開くことを抑制することができる。
【０２１５】
（７０）上記第６の実施形態による包装箱１０５では、付勢側壁８３、８４、８７および８８により収容部３に向かって付勢された蓋体９０２のフラップ９３、９４、９７および９８のそれぞれの先端９３ａ、９４ａ、９７ａおよび９８ａを底体８０２の底面８１に接触させた。これにより、複数の包装箱１０５を積み重ねた際に、積み重ねられた包装箱１０５の加重を蓋体９０２のフラップ９３、９４、９７および９８のそれぞれの先端９３ａ、９４ａ、９７ａおよび９８ａで受け止めることができるため、蓋体９０２のフラップ９３、９４、９７および９８のそれぞれの先端９３ａ、９４ａ、９７ａおよび９８ａが底体８０２の底面８１の表面８１ｂから離間している場合と比較して、包装箱１０５の加重方向に対する変形を抑制することができる。その結果、包装箱１０５の加重方向への強度を向上させることができる。
【０２１６】
（７１）上記第６の実施形態による包装箱１０５では、蓋体９０２の上面９１の４つの周縁の各々に、底体８０２の底面８１に設けられた付勢側壁８３、８４、８７および８８に対応するように、４つのフラップ９３、９４、９７および９８を設けた。これにより、蓋体９０２の上面９１に設けられた４つのフラップ９３、９４、９７および９８が底体８０２の付勢側壁８３、８４、８７および８８により収容部３に対して付勢されるため、蓋体９０２の４つのフラップ９３、９４、９７および９８が意図せず開くことを抑制することができる。
【０２１７】
（７２）上記第６の実施形態による包装箱１０５では、蓋体９０２と底体８０２とを別体により構成した。これにより、蓋体９０２と底体８０２とを別々に一枚のシートを用いて組立可能に構成することができる。 
【０２１８】
上記実施形態は、以下のように変更した構成とすることもできる。
【０２１９】
・上記実施形態では、底体の底面および蓋体の上面を四角形状とする例を示したが、本発明はこれに限られない。本発明では、底体の底面に設けられた側壁のうち少なくとも１つの側壁を付勢側壁として用いることが可能であれば、底体の底面および蓋体の上面を四角形状以外に三角形状や五角形状などでも適用可能である。
【０２２０】
・上記実施形態では、付勢側壁を３つの側壁部（第１〜第３の側壁部）により構成する例を示したが、本発明はこれに限られない。本発明では、被包装物を付勢することが可能であれば、付勢側壁を２つの側壁部（第１および第２側壁部）や４つの側壁部（第１〜第４の側壁部）により構成してもよい。
【０２２１】
・上記実施形態では、底体に設けられた付勢側壁の第１〜第３の側壁部を収容部または収容部とは反対側に向かって突出（湾曲）するように湾曲させて折り曲げる例を示したが、本発明はこれに限られない。本発明では、付勢側壁の第１〜第３の側壁部のそれぞれが平行になるように折り曲げても良い。
【０２２２】
・上記実施形態では、底体に設けられた４つの側壁のうち、１つ、２つまたは４つの側壁を付勢側壁として用いる例を示したが、本発明のこれに限られない。本発明では、底体に設けられた４つの側壁のうち、３つの側壁を付勢側壁として用いてもよい。
【０２２３】
・上記実施形態では、付勢側壁の先端および蓋体のフラップの先端を底体の底面の表面に接触させる例を示したが、本発明はこれに限られない。本発明では、これらの先端が必ずしも底体の底面の表面に接触していなくてもよい。
【０２２４】
・上記実施形態は、いずれも本発明の適応の例示であり、特許請求の範囲に記載の範囲内におけるその他いかなる実施形態も、発明の技術的範囲に含まれることは当然のことである。 
【符号の説明】
【０２２５】
３  …収容部
１１、４１、６１、８１  …底面
１３、１４、４２、６２、６３、６４、６５、８３、８４、８７、８８  …付勢側壁
２０、５０、７０、９０、９０１、９０２  …蓋体
２１、５１、７１、９１  …上面
２２、２３、２４、５２、５３、５４、７２、７３、７４、９２、９３、９４、９５、９６、９７、９８  …フラップ
２２ａ、２３ａ、２４ａ、５２ａ、５３ａ、５４ａ、７２ａ、７３ａ、７４ａ、９２ａ、９３ａ、９４ａ、９５ａ、９６ａ、９７ａ、９８ａ  …先端（フラップの先端）
３０  …被包装物
４２、４３、４４、４５、６２、６３、６４、６５、８２、８３、８４、８５、８６、８７、８８  …側壁
１００、１０１、１０２、１０３、１０４、１０５  …包装箱
１３１、１４１、４２１、６２１、６３１、６４１、６５１、８３１、８４１、８８１  …第１の側壁部（付勢側壁の先端部）
１３２、１４２、４２２、６２２、６３２、６４２、６５２、８３２、８４２、８８２  …第２の側壁部（付勢側壁の先端部）
１３３、１４３、４２３、６２３、６３３、６４３、８３３、８４３、８７３、８８３  …第３の側壁部（付勢側壁の先端部）
１３３ａ、１４３ａ  …先端（付勢側壁の先端）
ａ、ｂ、ｃ、ｄ      …折り線（周縁）
【図１】
2020203711.tif 000003
【図２】
2020203711.tif 000004
【図３】
2020203711.tif 000005
【図４】
2020203711.tif 000006
【図５】
2020203711.tif 000007
【図６】
2020203711.tif 000008
【図７】
2020203711.tif 000009
【図８】
2020203711.tif 000010
【図９】
2020203711.tif 000011
【図１０】
2020203711.tif 000012
【図１１】
2020203711.tif 000013
【図１２】
2020203711.tif 000014
【図１３】
2020203711.tif 000015
【図１４】
2020203711.tif 000016
【図１５】
2020203711.tif 000017
【図１６】
2020203711.tif 000018
【図１７】
2020203711.tif 000019